(57)【要約】  本願は、信号伝送方法および信号伝送装置を提供する。本方法は、参照信号を生成する段階と、参照信号を送信する段階とを含む。参照信号は、特定の時間周波数リソースにおいて送信され、特定の時間周波数リソースは、同期信号ブロックに対応するシンボル上に位置する。本願の実施形態に係る信号伝送方法および信号伝送装置は、リソースオーバヘッドを低減し得る。
2020519191.tif 000002
【特許請求の範囲】
【請求項１】
信号伝送方法であって、
参照信号を生成する段階と、
前記参照信号を送信する段階であって、前記参照信号は、特定の時間周波数リソースにおいて送信され、前記特定の時間周波数リソースは、同期信号ブロックに対応するシンボル上に位置する、段階と
を備える方法。
【請求項２】
前記特定の時間周波数リソースは、前記同期信号ブロックの物理ブロードキャストチャネルＰＢＣＨに対応する少なくとも１つのシンボルを含む、請求項１に記載の方法。
【請求項３】
前記特定の時間周波数リソースにおいて、前記参照信号にマッピングされる複数のリソースエレメントＲＥは、時間ドメインにおいて隣接せず、周波数ドメインにおいて隣接しない、または、
前記参照信号にマッピングされる複数のＲＥは、時間ドメインにおいて隣接し、周波数ドメインにおいて隣接しない、または、
前記参照信号にマッピングされる複数のＲＥは、周波数ドメインにおいて隣接し、時間ドメインにおいて隣接しない、
請求項１または２に記載の方法。
【請求項４】
前記参照信号は、前記同期信号ブロックの前記ＰＢＣＨに対応する前記少なくとも１つのシンボル上で送信されない、請求項１から３のいずれか一項に記載の方法。
【請求項５】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項１から４のいずれか一項に記載の方法。
【請求項６】
前記特定の時間周波数リソースは、前記同期信号ブロックの前記ＰＢＣＨに対応する前記少なくとも１つのシンボルを含み、前記同期信号ブロックの前記プライマリ同期信号および／または前記セカンダリ同期信号に対応するシンボルを含み、
前記特定の時間周波数リソースの第３領域において、前記参照信号は、前記プライマリ同期信号および／または前記セカンダリ同期信号に対応する前記シンボル上で送信され、前記特定の時間周波数リソースの第４領域において、前記参照信号は、前記プライマリ同期信号および／または前記セカンダリ同期信号に対応する前記シンボル上で送信されず、前記プライマリ同期信号および／または前記セカンダリ同期信号は、前記第３領域に対応するサブキャリア上で送信されず、前記プライマリ同期信号および／または前記セカンダリ同期信号は、前記第４領域に対応するサブキャリア上で送信される、
請求項１から５のいずれか一項に記載の方法。
【請求項７】
前記特定の時間周波数リソースの周波数ドメイン範囲は、前記同期信号ブロックの前記ＰＢＣＨに対応するサブキャリアである、請求項１から６のいずれか一項に記載の方法。
【請求項８】
参照信号を生成する前記段階は、
時間周波数リソースユニットを単位として用いて前記参照信号を生成する段階を含み、前記時間周波数リソースユニットは、前記同期信号ブロックに対応する前記シンボル上に位置する、
請求項１から７のいずれか一項に記載の方法。
【請求項９】
前記時間周波数リソースユニットは、少なくとも１つの物理リソースブロックＰＲＢ上における前記同期信号ブロックの前記ＰＢＣＨに対応する時間周波数リソースであり、または、前記時間周波数リソースユニットは、少なくとも１つのＰＲＢ上における前記同期信号ブロックの前記プライマリ同期信号および／または前記セカンダリ同期信号に対応する時間周波数リソースであり、または、前記時間周波数リソースユニットは、少なくとも１つのＰＲＢにおける前記同期信号ブロックに対応する時間周波数リソースである、請求項８に記載の方法。
【請求項１０】
前記参照信号を生成するためのパラメータは、セルＩＤ、サブバンドシーケンス番号、ＰＲＢシーケンス番号、およびアンテナポート番号のうちの少なくとも１つに関連付けられる、請求項８または９に記載の方法。
【請求項１１】
前記参照信号を送信する前記段階は、
前記時間周波数リソースユニットを単位として用いて前記参照信号をマッピングする段階を含む、
請求項８から１０のいずれか一項に記載の方法。
【請求項１２】
前記参照信号をマッピングする方式は、前記セルＩＤ、前記サブバンドシーケンス番号、前記ＰＲＢシーケンス番号、および前記アンテナポート番号のうちの少なくとも１つに関連付けられる、請求項１１に記載の方法。
【請求項１３】
信号伝送方法であって、
時間周波数リソースユニットを単位として用いて参照信号を生成する段階であって、前記時間周波数リソースユニットは、同期信号ブロックに対応するシンボル上に位置する、段階と、
前記参照信号を送信する段階と
を備える方法。
【請求項１４】
前記時間周波数リソースユニットは、少なくとも１つの物理リソースブロックＰＲＢ上における前記同期信号ブロックの物理ブロードキャストチャネルＰＢＣＨに対応する時間周波数リソースであり、または、前記時間周波数リソースユニットは、少なくとも１つのＰＲＢ上における前記同期信号ブロックのプライマリ同期信号および／またはセカンダリ同期信号に対応する時間周波数リソースであり、または、前記時間周波数リソースユニットは、少なくとも１つのＰＲＢにおける前記同期信号ブロックに対応する時間周波数リソースである、請求項１３に記載の方法。
【請求項１５】
前記参照信号を生成するためのパラメータは、セルＩＤ、サブバンドシーケンス番号、ＰＲＢシーケンス番号、およびアンテナポート番号のうちの少なくとも１つに関連付けられる、請求項１３または１４に記載の方法。
【請求項１６】
前記参照信号を送信する前記段階は、
前記時間周波数リソースユニットを単位として用いて前記参照信号をマッピングする段階を含む、
請求項１３から１５のいずれか一項に記載の方法。
【請求項１７】
前記参照信号をマッピングする方式は、前記セルＩＤ、前記サブバンドシーケンス番号、前記ＰＲＢシーケンス番号、および前記アンテナポート番号のうちの少なくとも１つに関連付けられる、請求項１６に記載の方法。
【請求項１８】
信号伝送方法であって、
参照信号を受信する段階であって、前記参照信号は、特定の時間周波数リソースにおいて送信され、前記特定の時間周波数リソースは、同期信号ブロックに対応するシンボル上に位置する、段階と、
前記参照信号に基づいてチャネル推定を行う段階と
を備える方法。
【請求項１９】
前記特定の時間周波数リソースは、前記同期信号ブロックの物理ブロードキャストチャネルＰＢＣＨに対応する少なくとも１つのシンボルを含む、請求項１８に記載の方法。
【請求項２０】
前記特定の時間周波数リソースにおいて、前記参照信号にマッピングされる複数のリソースエレメントＲＥは、時間ドメインにおいて隣接せず、周波数ドメインにおいて隣接しない、または、
前記参照信号にマッピングされる複数のＲＥは、時間ドメインにおいて隣接し、周波数ドメインにおいて隣接しない、または、
前記参照信号にマッピングされる複数のＲＥは、周波数ドメインにおいて隣接し、時間ドメインにおいて隣接しない、
請求項１８または１９に記載の方法。
【請求項２１】
前記参照信号は、前記同期信号ブロックの前記ＰＢＣＨに対応する前記少なくとも１つのシンボル上で送信されない、請求項１８から２０のいずれか一項に記載の方法。
【請求項２２】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項１８から２１のいずれか一項に記載の方法。
【請求項２３】
前記特定の時間周波数リソースは、前記同期信号ブロックの前記ＰＢＣＨに対応する前記少なくとも１つのシンボルを含み、前記同期信号ブロックの前記プライマリ同期信号および／または前記セカンダリ同期信号に対応するシンボルを含み、
前記特定の時間周波数リソースの第３領域において、前記参照信号は、前記プライマリ同期信号および／または前記セカンダリ同期信号に対応する前記シンボル上で送信され、前記特定の時間周波数リソースの第４領域において、前記参照信号は、前記プライマリ同期信号および／または前記セカンダリ同期信号に対応する前記シンボル上で送信されず、前記プライマリ同期信号および／または前記セカンダリ同期信号は、前記第３領域に対応するサブキャリア上で送信されず、前記プライマリ同期信号および／または前記セカンダリ同期信号は、前記第４領域に対応するサブキャリア上で送信される、
請求項１８から２２のいずれか一項に記載の方法。
【請求項２４】
前記特定の時間周波数リソースの周波数ドメイン範囲は、前記同期信号ブロックの前記ＰＢＣＨに対応するサブキャリアである、請求項１８から２３のいずれか一項に記載の方法。
【請求項２５】
信号伝送方法であって、
参照信号を受信する段階であって、前記参照信号は、時間周波数リソースユニットを単位として用いて生成され、前記時間周波数リソースユニットは、同期信号ブロックに対応するシンボル上に位置する、段階と、
前記参照信号に基づいてチャネル推定を行う段階と
を備える方法。
【請求項２６】
前記時間周波数リソースユニットは、少なくとも１つの物理リソースブロックＰＲＢ上における前記同期信号ブロックの物理ブロードキャストチャネルＰＢＣＨに対応する時間周波数リソースであり、または、前記時間周波数リソースユニットは、少なくとも１つのＰＲＢ上における前記同期信号ブロックのプライマリ同期信号および／またはセカンダリ同期信号に対応する時間周波数リソースであり、または、前記時間周波数リソースユニットは、少なくとも１つのＰＲＢにおける前記同期信号ブロックに対応する時間周波数リソースである、請求項２５に記載の方法。
【請求項２７】
信号伝送装置であって、
プロセッサおよび送受信機を備え、
前記プロセッサは、参照信号を生成するよう構成され、
前記送受信機は、前記参照信号を送信するよう構成され、前記参照信号は、特定の時間周波数リソースにおいて送信され、前記特定の時間周波数リソースは、同期信号ブロックに対応するシンボル上に位置する、
装置。
【請求項２８】
前記特定の時間周波数リソースは、前記同期信号ブロックの物理ブロードキャストチャネルＰＢＣＨに対応する少なくとも１つのシンボルを含む、請求項２７に記載の装置。
【請求項２９】
前記特定の時間周波数リソースにおいて、前記参照信号にマッピングされる複数のリソースエレメントＲＥは、時間ドメインにおいて隣接せず、周波数ドメインにおいて隣接しない、または、
前記参照信号にマッピングされる複数のＲＥは、時間ドメインにおいて隣接し、周波数ドメインにおいて隣接しない、または、
前記参照信号にマッピングされる複数のＲＥは、周波数ドメインにおいて隣接し、時間ドメインにおいて隣接しない、
請求項２７または２８に記載の装置。
【請求項３０】
前記参照信号は、前記同期信号ブロックの前記ＰＢＣＨに対応する前記少なくとも１つのシンボル上で送信されない、請求項２７から２９のいずれか一項に記載の装置。
【請求項３１】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項２７から３０のいずれか一項に記載の装置。
【請求項３２】
前記特定の時間周波数リソースは、前記同期信号ブロックの前記ＰＢＣＨに対応する前記少なくとも１つのシンボルを含み、前記同期信号ブロックの前記プライマリ同期信号および／または前記セカンダリ同期信号に対応するシンボルを含み、
前記特定の時間周波数リソースの第３領域において、前記参照信号は、前記プライマリ同期信号および／または前記セカンダリ同期信号に対応する前記シンボル上で送信され、前記特定の時間周波数リソースの第４領域において、前記参照信号は、前記プライマリ同期信号および／または前記セカンダリ同期信号に対応する前記シンボル上で送信されず、前記プライマリ同期信号および／または前記セカンダリ同期信号は、前記第３領域に対応するサブキャリア上で送信されず、前記プライマリ同期信号および／または前記セカンダリ同期信号は、前記第４領域に対応するサブキャリア上で送信される、
請求項２７から３１のいずれか一項に記載の装置。
【請求項３３】
前記特定の時間周波数リソースの周波数ドメイン範囲は、前記同期信号ブロックの前記ＰＢＣＨに対応するサブキャリアである、請求項２７から３２のいずれか一項に記載の装置。
【請求項３４】
信号伝送装置であって、
プロセッサおよび送受信機を備え、
前記送受信機は、参照信号を受信するよう構成され、前記参照信号は、特定の時間周波数リソースにおいて送信され、前記特定の時間周波数リソースは、同期信号ブロックに対応するシンボル上に位置し、
前記プロセッサは、前記参照信号に基づいてチャネル推定を行うよう構成される、
装置。
【請求項３５】
前記特定の時間周波数リソースは、前記同期信号ブロックの物理ブロードキャストチャネルＰＢＣＨに対応する少なくとも１つのシンボルを含む、請求項３４に記載の装置。
【請求項３６】
前記特定の時間周波数リソースにおいて、前記参照信号にマッピングされる複数のリソースエレメントＲＥは、時間ドメインにおいて隣接せず、周波数ドメインにおいて隣接しない、または、
前記参照信号にマッピングされる複数のＲＥは、時間ドメインにおいて隣接し、周波数ドメインにおいて隣接しない、または、
前記参照信号にマッピングされる複数のＲＥは、周波数ドメインにおいて隣接し、時間ドメインにおいて隣接しない、
請求項３４または３５に記載の装置。
【請求項３７】
前記参照信号は、前記同期信号ブロックの前記ＰＢＣＨに対応する前記少なくとも１つのシンボル上で送信されない、請求項３４から３６のいずれか一項に記載の装置。
【請求項３８】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項３４から３７のいずれか一項に記載の装置。
【請求項３９】
前記特定の時間周波数リソースは、前記同期信号ブロックの前記ＰＢＣＨに対応する前記少なくとも１つのシンボルを含み、前記同期信号ブロックの前記プライマリ同期信号および／または前記セカンダリ同期信号に対応するシンボルを含み、
前記特定の時間周波数リソースの第３領域において、前記参照信号は、前記プライマリ同期信号および／または前記セカンダリ同期信号に対応する前記シンボル上で送信され、前記特定の時間周波数リソースの第４領域において、前記参照信号は、前記プライマリ同期信号および／または前記セカンダリ同期信号に対応する前記シンボル上で送信されず、前記プライマリ同期信号および／または前記セカンダリ同期信号は、前記第３領域に対応するサブキャリア上で送信されず、前記プライマリ同期信号および／または前記セカンダリ同期信号は、前記第４領域に対応するサブキャリア上で送信される、
請求項３４から３８のいずれか一項に記載の装置。
【請求項４０】
前記特定の時間周波数リソースの周波数ドメイン範囲は、前記同期信号ブロックの前記ＰＢＣＨに対応するサブキャリアである、請求項３４から３９のいずれか一項に記載の装置。
【請求項４１】
信号を伝送するための方法であって、
参照信号を生成する段階と、
前記参照信号を送信する段階であって、前記参照信号は、特定の時間周波数リソースにおいて送信され、前記特定の時間周波数リソースは、同期信号ブロックに対応するシンボル上に位置し、前記特定の時間周波数リソースは、前記同期信号ブロックの物理ブロードキャストチャネルＰＢＣＨに対応する少なくとも１つのシンボルを含む、段階と
を備える方法。
【請求項４２】
前記特定の時間周波数リソースにおいて、前記参照信号にマッピングされる複数のＲＥは、時間ドメインにおいて隣接し、周波数ドメインにおいて隣接しない、請求項４１に記載の方法。
【請求項４３】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記セカンダリ同期信号は、前記第２領域に対応するサブキャリア上で送信される、請求項４１または４２に記載の方法。
【請求項４４】
前記特定の時間周波数リソースの周波数ドメイン範囲は、前記同期信号ブロックの前記ＰＢＣＨに対応するサブキャリアである、請求項４１から４３のいずれか一項に記載の方法。
【請求項４５】
参照信号を生成する前記段階は、
時間周波数リソースユニットを単位として用いて前記参照信号を生成する段階を含み、前記時間周波数リソースユニットは、前記同期信号ブロックに対応する前記シンボル上に位置する、
請求項４１から４４のいずれか一項に記載の方法。
【請求項４６】
前記時間周波数リソースユニットは、少なくとも１つの物理リソースブロックＰＲＢ上における、前記同期信号ブロックの前記ＰＢＣＨに対応する時間周波数リソースである、請求項４５に記載の方法。
【請求項４７】
前記参照信号を生成するために用いられるパラメータは、セルＩＤに関連付けられる、請求項４１または４６に記載の方法。
【請求項４８】
前記参照信号を送信する前記段階は、
前記時間周波数リソースユニットを単位として用いて前記参照信号をマッピングする段階を含む、
請求項４５から４７のいずれか一項に記載の方法。
【請求項４９】
前記参照信号をマッピングする方式は、前記セルＩＤに関連付けられる、請求項４８に記載の方法。
【請求項５０】
信号を伝送するための方法であって、
時間周波数リソースユニットを単位として用いて参照信号を生成する段階であって、前記時間周波数リソースユニットは、同期信号ブロックに対応するシンボル上に位置する、段階と、
前記参照信号を送信する段階と
を備える方法。
【請求項５１】
前記時間周波数リソースユニットは、少なくとも１つの物理リソースブロックＰＲＢ上における、前記同期信号ブロックの物理ブロードキャストチャネルＰＢＣＨに対応する時間周波数リソースである、請求項５０に記載の方法。
【請求項５２】
前記参照信号を生成するために用いられるパラメータは、セルＩＤに関連付けられる、請求項５０または５１に記載の方法。
【請求項５３】
前記参照信号を送信する前記段階は、
前記時間周波数リソースユニットを単位として用いて前記参照信号をマッピングする段階を含む、
請求項５０から５２のいずれか一項に記載の方法。
【請求項５４】
前記参照信号をマッピングする方式は、前記セルＩＤに関連付けられる、請求項５３に記載の方法。
【請求項５５】
信号を伝送するための方法であって、
参照信号を受信する段階であって、前記参照信号は、特定の時間周波数リソースにおいて送信され、前記特定の時間周波数リソースは、同期信号ブロックに対応するシンボル上に位置し、前記特定の時間周波数リソースは、前記同期信号ブロックの物理ブロードキャストチャネルＰＢＣＨに対応する少なくとも１つのシンボルを含む、段階と、
前記参照信号に基づいてチャネル推定を行う段階と
を備える方法。
【請求項５６】
前記特定の時間周波数リソースにおいて、前記参照信号にマッピングされる複数のＲＥは、時間ドメインにおいて隣接し、周波数ドメインにおいて隣接しない、請求項５５に記載の方法。
【請求項５７】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記セカンダリ同期信号は、前記第２領域に対応するサブキャリア上で送信される、請求項５５または５６に記載の方法。
【請求項５８】
前記特定の時間周波数リソースの周波数ドメイン範囲は、前記同期信号ブロックの前記ＰＢＣＨに対応するサブキャリアである、請求項５５から５７のいずれか一項に記載の方法。
【請求項５９】
信号を伝送するための方法であって、
参照信号を受信する段階であって、前記参照信号は、時間周波数リソースユニットを単位として用いて生成され、前記時間周波数リソースユニットは、同期信号ブロックに対応するシンボル上に位置し、前記時間周波数リソースユニットは、少なくとも１つの物理リソースブロックＰＲＢ上における、前記同期信号ブロックの物理ブロードキャストチャネルＰＢＣＨに対応する時間周波数リソースである、段階と、
前記参照信号に基づいてチャネル推定を行う段階と
を備える方法。
【請求項６０】
信号を伝送するための装置であって、
プロセッサおよび送受信機を備え、
前記プロセッサは、参照信号を生成するよう構成され、
前記送受信機は、前記参照信号を送信するよう構成され、前記参照信号は、特定の時間周波数リソースにおいて送信され、前記特定の時間周波数リソースは、同期信号ブロックに対応するシンボル上に位置し、前記特定の時間周波数リソースは、前記同期信号ブロックの物理ブロードキャストチャネルＰＢＣＨに対応する少なくとも１つのシンボルを含む、
装置。
【請求項６１】
前記特定の時間周波数リソースにおいて、前記参照信号にマッピングされる複数のＲＥは、時間ドメインにおいて隣接し、周波数ドメインにおいて隣接しない、請求項６０に記載の装置。
【請求項６２】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項６０または６１に記載の装置。
【請求項６３】
前記特定の時間周波数リソースの周波数ドメイン範囲は、前記同期信号ブロックの前記ＰＢＣＨに対応するサブキャリアである、請求項６０から６２のいずれか一項に記載の装置。
【請求項６４】
信号を伝送するための装置であって、
プロセッサおよび送受信機を備え、
前記送受信機は、参照信号を受信するよう構成され、前記参照信号は、特定の時間周波数リソースにおいて送信され、前記特定の時間周波数リソースは、同期信号ブロックに対応するシンボル上に位置し、
前記プロセッサは、前記参照信号に基づいてチャネル推定を行うよう構成され、前記特定の時間周波数リソースは、前記同期信号ブロックの物理ブロードキャストチャネルＰＢＣＨに対応する少なくとも１つのシンボルを含む、
装置。
【請求項６５】
前記特定の時間周波数リソースにおいて、前記参照信号にマッピングされる複数のＲＥは、時間ドメインにおいて隣接し、周波数ドメインにおいて隣接しない、請求項６４に記載の装置。
【請求項６６】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項６４または６５に記載の装置。
【請求項６７】
前記特定の時間周波数リソースの周波数ドメイン範囲は、前記同期信号ブロックの前記ＰＢＣＨに対応するサブキャリアである、請求項６４から６６のいずれか一項に記載の装置。
【請求項６８】
信号を伝送するための装置であって、プロセッサ、メモリ、および送受信機を備え、前記メモリは命令を記憶し、前記命令が前記プロセッサにより実行されると、前記プロセッサおよび前記送受信機は、請求項１から２６または４１から５９のいずれか一項に記載の方法を行うことが可能となる、装置。
【請求項６９】
信号を伝送するための装置であって、プロセッサおよび送受信機を備え、前記プロセッサおよび前記送受信機は、請求項１から２６または４１から５９のいずれか一項に記載の方法を行うよう構成される、装置。
【請求項７０】
前記装置はチップである、請求項６８または６９に記載の装置。
【請求項７１】
プログラムコードを記憶するコンピュータ記憶媒体であって、前記プログラムコードがコンピュータ上で実行されると、前記コンピュータは、請求項１から２６または４１から５９のいずれか一項に記載の方法を行うことが可能となる、コンピュータ記憶媒体。
【請求項７２】
コンピュータプログラム製品であって、前記コンピュータプログラム製品がコンピュータ上で動作すると、前記コンピュータは、請求項１から２６または４１から５９のいずれか一項に記載の方法を行うことが可能となる、コンピュータプログラム製品。
【発明の詳細な説明】
【技術分野】
【０００１】
本願は、２０１７年５月５日に中国特許庁に出願された、「信号伝送方法および信号伝送装置」と題する中国特許出願第２０１７１０３１３７２４．５号の優先権を主張し、その全内容が本明細書に参照として組み込まれる。
【０００２】
本願は、通信分野に関し、より具体的には、信号伝送方法および信号伝送装置に関する。
【背景技術】
【０００３】
ロングタームエボリューション（Ｌｏｎｇ  Ｔｅｒｍ  Ｅｖｏｌｕｔｉｏｎ、ＬＴＥ）において、物理ブロードキャストチャネル（Ｐｈｙｓｉｃａｌ  Ｂｒｏａｄｃａｓｔ  Ｃｈａｎｎｅｌ、ＰＢＣＨ）は、中央周波数の両側における６つの物理リソースブロック（Ｐｈｙｓｉｃａｌ  Ｒｅｓｏｕｒｃｅ  Ｂｌｏｃｋ、ＰＲＢ）（すなわち７２個のサブキャリア）および４つの連続するＯＦＤＭシンボルを占有する。このＬＴＥ−ＰＢＣＨは、１つ、２つ、または４つのアンテナポート（Ａｎｔｅｎｎａ  Ｐｏｒｔ、ＡＰ）による伝送ソリューションをサポートし得る。
【０００４】
ＬＴＥ−ＰＢＣＨの復調用参照信号は、セル固有参照信号（Ｃｅｌｌ−ｓｐｅｃｉｆｉｃ  Ｒｅｆｅｒｅｎｃｅ  Ｓｉｇｎａｌ、ＣＲＳ）である。ＬＴＥにおけるＣＲＳは、ＰＢＣＨ信号のコヒーレント復調のために用いられ、さらに、無線リソース管理（Ｒａｄｉｏ  Ｒｅｓｏｕｒｃｅ  Ｍａｎａｇｅｍｅｎｔ、ＲＲＭ）測定、チャネル状態情報測定、ならびにデータチャネルおよび制御チャネルのコヒーレント復調のために用いられる。ＣＲＳは、システム帯域幅全体を占有し、１０個のサブフレームに分配され、４つのＡＰをサポートする。したがって、ＣＲＳは比較的高いリソースオーバヘッドを有し、５Ｇ新無線アクセス（Ｎｅｗ  Ｒａｄｉｏ  Ａｃｃｅｓｓ、ＮＲ）システムには適さない。
【０００５】
したがって、リソースオーバヘッドを低減するべく、ＮＲに適した参照信号伝送ソリューションが緊急に必要とされている。
【発明の概要】
【０００６】
本願は、リソースオーバヘッドを低減するべく、信号伝送方法および信号伝送装置を提供する。
【０００７】
第１態様によれば、信号伝送方法であって、参照信号を生成する段階と、参照信号を送信する段階であって、参照信号は、特定の時間周波数リソースにおいて送信され、特定の時間周波数リソースは、同期信号ブロックに対応するシンボル上に位置する、段階とを備える方法が提供される。
【０００８】
本願の本実施形態においては、参照信号を、無線フレームのシステム帯域幅全体に分配するのではなく、同期信号ブロックに対応するシンボル上における特定の時間周波数リソース領域のみにおいて送信することができる。これにより、本願の本実施形態における参照信号を用いて、同期信号ブロックに対応するシンボル上の信号の復調、例えばＰＢＣＨ復調を保証することができる。加えて、占有される時間周波数リソースが比較的少数になり、それによりリソースオーバヘッドが低減される。
【０００９】
いくつかの可能な実装において、参照信号は、特定の時間周波数リソースにおいて離散的に送信される。具体的には、参照信号は、特定の時間周波数リソースにおいて離散的にマッピングされる。換言すると、参照信号にマッピングされるＲＥは、非集約的に分配される。
【００１０】
いくつかの可能な実装において、特定の時間周波数リソースは、同期信号ブロックの物理ブロードキャストチャネルＰＢＣＨに対応する少なくとも１つのシンボルを含む。
【００１１】
いくつかの可能な実装において、特定の時間周波数リソースにおいて、参照信号にマッピングされる複数のリソースエレメントＲＥは、時間ドメインにおいて隣接せず、周波数ドメインにおいて隣接しない、または、参照信号にマッピングされる複数のＲＥは、時間ドメインにおいて隣接し、周波数ドメインにおいて隣接しない、または、参照信号にマッピングされる複数のＲＥは、周波数ドメインにおいて隣接し、時間ドメインにおいて隣接しない。
【００１２】
いくつかの可能な実装において、特定の時間周波数リソースの時間ドメイン範囲は、同期信号ブロックに対応するシンボルであり、同期信号ブロックに対応するシンボルの一部であってもよく、または同期信号ブロックに対応するシンボルの全てであってもよい。特定の時間周波数リソースの周波数ドメイン範囲は、同期信号ブロックのＰＢＣＨに対応するサブキャリアであってもよく、またはシステム帯域幅全体であってもよい。
【００１３】
いくつかの可能な実装において、異なるセルの参照信号は、異なるリソース位置にマッピングされてよい。具体的には、参照信号のリソースマッピングは、セル識別子に依拠するものであってよく、それによりセル間での参照信号の相互干渉が回避される。
【００１４】
いくつかの可能な実装において、端末デバイスは、チャネル推定を行うときに、隣接する参照信号に対して線形補間を行うことで、参照信号がマッピングされていないＲＥを比較的高精度に推定してよく、それによりＰＢＣＨ復調の正確性が保証される。
【００１５】
各ＰＢＣＨに対応するシンボル上に、参照信号が存在する。したがって、ＰＢＣＨ復調のために、チャネル推定が同期信号に依拠することなく行われてよい。
【００１６】
いくつかの可能な実装において、参照信号が時間ドメインまたは周波数ドメインにおいて連続するＲＥにマッピングされることで、連続するリソースに対して直交カバーコードを用いることにより参照信号のＡＰの数を増大させることができ、それによりマルチＡＰのＰＢＣＨ伝送ソリューションがサポートされる。
【００１７】
いくつかの可能な実装において、参照信号は、ＰＢＣＨに対応する少なくとも１つのシンボル上で送信されない。
【００１８】
参照信号がＰＢＣＨに対応する１つのシンボル上で送信される場合、端末デバイスは、チャネル推定を行うときに、ＳＳＳおよび隣接する参照信号に対して線形補間を行うことで、参照信号がマッピングされていないＲＥを比較的高精度に推定してよく、それによりＰＢＣＨ復調の正確性が保証される。これにより、ＰＢＣＨに対応するシンボルにおける参照信号のリソースオーバヘッドが低減される。
【００１９】
いくつかの可能な実装において、特定の時間周波数リソースの第１領域において参照信号にマッピングされるＲＥの数は、特定の時間周波数リソースの第２領域において参照信号にマッピングされるＲＥの数よりも多く、同期信号ブロックのプライマリ同期信号および／またはセカンダリ同期信号は、第１領域に対応するサブキャリア上で送信されず、プライマリ同期信号および／またはセカンダリ同期信号は、第２領域に対応するサブキャリア上で送信される。
【００２０】
ＳＳＳが送信される場合、端末デバイスは、ＳＳＳに対して線形補間を行うことによりＰＢＣＨ推定の正確性を向上してよく、それにより参照信号の必要性が小さくなる。
【００２１】
いくつかの可能な実装において、特定の時間周波数リソースは、同期信号ブロックのプライマリ同期信号および／またはセカンダリ同期信号に対応するシンボルをさらに含む。
【００２２】
特定の時間周波数リソースの第３領域において、参照信号は、プライマリ同期信号および／またはセカンダリ同期信号に対応するシンボル上で送信される。特定の時間周波数リソースの第４領域において、参照信号は、プライマリ同期信号および／またはセカンダリ同期信号に対応するシンボル上で送信されない。プライマリ同期信号および／またはセカンダリ同期信号は、第３領域に対応するサブキャリア上で送信されない。プライマリ同期信号および／またはセカンダリ同期信号は、第４領域に対応するサブキャリア上で送信される。
【００２３】
ＰＢＣＨのリソースが全くまたはほとんど占有されないようにしつつ、ＳＳＳのないＰＲＢ上において、端末デバイスが時間ドメイン参照信号に対して線形補間を行うことにより、ＰＢＣＨ推定の正確性を向上してよい。
【００２４】
いくつかの可能な実装において、特定の時間周波数リソースの周波数ドメイン範囲は、同期信号ブロックのＰＢＣＨに対応するサブキャリアである。
【００２５】
いくつかの可能な実装において、参照信号を生成する段階は、時間周波数リソースユニットを単位として用いて参照信号を生成する段階を含み、時間周波数リソースユニットは、同期信号ブロックに対応するシンボル上に位置する。
【００２６】
いくつかの可能な実装において、時間周波数リソースユニットは、少なくとも１つの物理リソースブロックＰＲＢ上における同期信号ブロックのＰＢＣＨに対応する時間周波数リソースであり、または、時間周波数リソースユニットは、少なくとも１つのＰＲＢ上における同期信号ブロックのプライマリ同期信号および／またはセカンダリ同期信号に対応する時間周波数リソースであり、または、時間周波数リソースユニットは、少なくとも１つのＰＲＢにおける同期信号ブロックに対応する時間周波数リソースである。
【００２７】
いくつかの可能な実装において、参照信号を生成するためのパラメータは、セルＩＤ、サブバンドシーケンス番号、ＰＲＢシーケンス番号、およびアンテナポート番号のうちの少なくとも１つに関連付けられる。
【００２８】
いくつかの可能な実装において、参照信号を送信する段階は、時間周波数リソースユニットを単位として用いて参照信号をマッピングする段階を含む。
【００２９】
いくつかの可能な実装において、参照信号をマッピングする方式は、セルＩＤ、サブバンドシーケンス番号、ＰＲＢシーケンス番号、およびアンテナポート番号のうちの少なくとも１つに関連付けられる。
【００３０】
第２態様によれば、信号伝送方法であって、時間周波数リソースユニットを単位として用いて参照信号を生成する段階であって、時間周波数リソースユニットは、同期信号ブロックに対応するシンボル上に位置する、段階と、参照信号を送信する段階とを備える方法が提供される。
【００３１】
本願の本実施形態において、ネットワークデバイスが参照信号を生成するときに基づく単位は、無線フレームではなく、同期信号ブロックに対応するシンボルに限られる。これにより、複数の異なる同期信号ブロックにわたって参照信号シーケンスが繰り返されてよく、したがって端末デバイスは、参照信号検出の間に長いシーケンスからシーケンスを抽出する必要がない。
【００３２】
いくつかの可能な実装において、時間周波数リソースユニットの時間ドメイン範囲は、同期信号ブロックに対応するシンボルであり、同期信号ブロックに対応するシンボルの全てであってもよく、または同期信号ブロックに対応するシンボルの一部であってもよい。例えば、時間周波数リソースユニットの時間ドメイン範囲は、同期信号ブロックのＰＢＣＨに対応するシンボルであってよい。時間周波数リソースユニットの周波数ドメイン範囲は、同期信号ブロックに対応する全てのサブキャリアであってもよく、または同期信号ブロックに対応する１または複数のＰＲＢのサブキャリアであってもよく、またはシステム帯域幅全体であってもよい。
【００３３】
いくつかの可能な実装において、時間周波数リソースユニットは、少なくとも１つの物理リソースブロックＰＲＢ上における同期信号ブロックの物理ブロードキャストチャネルＰＢＣＨに対応する時間周波数リソースであり、または、時間周波数リソースユニットは、少なくとも１つのＰＲＢ上における同期信号ブロックのプライマリ同期信号および／またはセカンダリ同期信号に対応する時間周波数リソースであり、または、時間周波数リソースユニットは、少なくとも１つのＰＲＢにおける同期信号ブロックに対応する時間周波数リソースである。
【００３４】
いくつかの可能な実装において、マルチサブバンドシステムの場合、時間周波数リソースユニットの周波数ドメイン範囲は、システム帯域幅全体に拡張されてよい。
【００３５】
いくつかの可能な実装において、参照信号を生成するためのパラメータは、セルＩＤ、サブバンドシーケンス番号、ＰＲＢシーケンス番号、およびアンテナポート番号のうちの少なくとも１つに関連付けられる。
【００３６】
いくつかの可能な実装において、参照信号を送信する段階は、時間周波数リソースユニットを単位として用いて参照信号をマッピングする段階を含む。
【００３７】
各時間周波数リソースユニットに基づいて参照信号が独立に生成およびマッピングされる。この方式は、拡張が容易であり、また物理チャネルリソースブロックのサイズによって制限されない。
【００３８】
いくつかの可能な実装において、参照信号をマッピングする方式は、セルＩＤ、サブバンドシーケンス番号、ＰＲＢシーケンス番号、およびアンテナポート番号のうちの少なくとも１つに関連付けられる。
【００３９】
第３態様によれば、信号伝送方法であって、参照信号を受信する段階であって、参照信号は、特定の時間周波数リソースにおいて送信され、特定の時間周波数リソースは、同期信号ブロックに対応するシンボル上に位置する、段階を備える方法が提供される。
【００４０】
いくつかの可能な実装において、特定の時間周波数リソースは、同期信号ブロックの物理ブロードキャストチャネルＰＢＣＨに対応する少なくとも１つのシンボルを含む。
【００４１】
いくつかの可能な実装において、特定の時間周波数リソースにおいて、参照信号にマッピングされる複数のリソースエレメントＲＥは、時間ドメインにおいて隣接せず、周波数ドメインにおいて隣接しない、または、参照信号にマッピングされる複数のＲＥは、時間ドメインにおいて隣接し、周波数ドメインにおいて隣接しない、または、参照信号にマッピングされる複数のＲＥは、周波数ドメインにおいて隣接し、時間ドメインにおいて隣接しない。
【００４２】
いくつかの可能な実装において、参照信号は、ＰＢＣＨに対応する少なくとも１つのシンボル上で送信されない。
【００４３】
いくつかの可能な実装において、特定の時間周波数リソースの第１領域において参照信号にマッピングされるＲＥの数は、特定の時間周波数リソースの第２領域において参照信号にマッピングされるＲＥの数よりも多く、同期信号ブロックのプライマリ同期信号および／またはセカンダリ同期信号は、第１領域に対応するサブキャリア上で送信されず、プライマリ同期信号および／またはセカンダリ同期信号は、第２領域に対応するサブキャリア上で送信される。
【００４４】
いくつかの可能な実装において、特定の時間周波数リソースは、同期信号ブロックのプライマリ同期信号および／またはセカンダリ同期信号に対応するシンボルをさらに含む。
【００４５】
特定の時間周波数リソースの第３領域において、参照信号は、プライマリ同期信号および／またはセカンダリ同期信号に対応するシンボル上で送信される。特定の時間周波数リソースの第４領域において、参照信号は、プライマリ同期信号および／またはセカンダリ同期信号に対応するシンボル上で送信されない。プライマリ同期信号および／またはセカンダリ同期信号は、第３領域に対応するサブキャリア上で送信されない。プライマリ同期信号および／またはセカンダリ同期信号は、第４領域に対応するサブキャリア上で送信される。
【００４６】
いくつかの可能な実装において、特定の時間周波数リソースの周波数ドメイン範囲は、同期信号ブロックのＰＢＣＨに対応するサブキャリアである。
【００４７】
いくつかの可能な実装において、参照信号は、時間周波数リソースユニットを単位として用いて生成され、時間周波数リソースユニットは、同期信号ブロックに対応するシンボル上に位置する。
【００４８】
いくつかの可能な実装において、時間周波数リソースユニットは、少なくとも１つの物理リソースブロックＰＲＢ上における同期信号ブロックのＰＢＣＨに対応する時間周波数リソースであり、または、時間周波数リソースユニットは、少なくとも１つのＰＲＢ上における同期信号ブロックのプライマリ同期信号および／またはセカンダリ同期信号に対応する時間周波数リソースであり、または、時間周波数リソースユニットは、少なくとも１つのＰＲＢにおける同期信号ブロックに対応する時間周波数リソースである。
【００４９】
いくつかの可能な実装において、参照信号を生成するためのパラメータは、セルＩＤ、サブバンドシーケンス番号、またはＰＲＢシーケンス番号のうちの少なくとも１つに関連付けられる。
【００５０】
いくつかの可能な実装において、参照信号は、時間周波数リソースユニットを単位として用いてマッピングされる。
【００５１】
いくつかの可能な実装において、参照信号をマッピングする方式は、セルＩＤ、サブバンドシーケンス番号、ＰＲＢシーケンス番号、およびアンテナポート番号のうちの少なくとも１つに関連付けられる。
【００５２】
第４態様によれば、信号伝送方法であって、参照信号を受信する段階であって、参照信号は、時間周波数リソースユニットを単位として用いて生成され、時間周波数リソースユニットは、同期信号ブロックに対応するシンボル上に位置する、段階を備える方法が提供される。
【００５３】
いくつかの可能な実装において、時間周波数リソースユニットは、少なくとも１つの物理リソースブロックＰＲＢ上における同期信号ブロックの物理ブロードキャストチャネルＰＢＣＨに対応する時間周波数リソースであり、または、時間周波数リソースユニットは、少なくとも１つのＰＲＢ上における同期信号ブロックのプライマリ同期信号および／またはセカンダリ同期信号に対応する時間周波数リソースであり、または、時間周波数リソースユニットは、少なくとも１つのＰＲＢにおける同期信号ブロックに対応する時間周波数リソースである。
【００５４】
いくつかの可能な実装において、参照信号を生成するためのパラメータは、セルＩＤ、サブバンドシーケンス番号、またはＰＲＢシーケンス番号のうちの少なくとも１つに関連付けられる。
【００５５】
いくつかの可能な実装において、参照信号は、時間周波数リソースユニットを単位として用いてマッピングされる。
【００５６】
いくつかの可能な実装において、参照信号をマッピングする方式は、セルＩＤ、サブバンドシーケンス番号、ＰＲＢシーケンス番号、およびアンテナポート番号のうちの少なくとも１つに関連付けられる。
【００５７】
第５態様によれば、信号伝送装置が提供される。信号伝送装置は、プロセッサおよび送受信機を備え、第１態様または第１態様の任意の可能な実装に係る方法を行うことができる。
【００５８】
第６態様によれば、信号伝送装置が提供される。信号伝送装置は、プロセッサおよび送受信機を備え、第２態様または第２態様の任意の可能な実装に係る方法を行うことができる。
【００５９】
第７態様によれば、信号伝送装置が提供される。信号伝送装置は、プロセッサおよび送受信機を備え、第３態様または第３態様の任意の可能な実装に係る方法を行うことができる。
【００６０】
第８態様によれば、信号伝送装置が提供される。信号伝送装置は、プロセッサおよび送受信機を備え、第４態様または第４態様の任意の可能な実装に係る方法を行うことができる。
【００６１】
第９態様によれば、コンピュータ記憶媒体が提供される。コンピュータ記憶媒体は、プログラムコードを記憶し、プログラムコードは、第１態様から第４態様のいずれか１つまたはそれらの任意の可能な実装に係る方法を行うよう命令するために用いられ得る。
【００６２】
第１０態様によれば、命令を含むコンピュータプログラム製品が提供される。命令がコンピュータ上で実行されると、コンピュータは、第１態様から第４態様のいずれか１つまたはそれらの任意の可能な実装に係る方法を行う。
【図面の簡単な説明】
【００６３】
【図１】本願の一実施形態が適用されるシステムの概略図である。
【００６４】
【図２】本願の一実施形態に係る同期信号ブロックのリソース構造の概略図である。
【００６５】
【図３】本願の一実施形態に係る信号伝送方法の概略フローチャートである。
【００６６】
【図４】本願の一実施形態に係る参照信号をマッピングする方式の概略図である。
【００６７】
【図５】本願の別の実施形態に係る参照信号をマッピングする方式の概略図である。
【００６８】
【図６】本願のさらに別の実施形態に係る参照信号をマッピングする方式の概略図である。
【００６９】
【図７】本願のまた別の実施形態に係る参照信号をマッピングする方式の概略図である。
【００７０】
【図８】本願のさらにまた別の実施形態に係る参照信号をマッピングする方式の概略図である。
【００７１】
【図９】本願のさらなる実施形態に係る参照信号をマッピングする方式の概略図である。
【００７２】
【図１０】本願のなおさらなる実施形態に係る参照信号をマッピングする方式の概略図である。
【００７３】
【図１１】本願のまたさらなる実施形態に係る参照信号をマッピングする方式の概略図である。
【００７４】
【図１２】本願の別の実施形態に係る信号伝送方法の概略フローチャートである。
【００７５】
【図１３】本願の一実施形態に係る信号伝送装置の概略ブロック図である。
【００７６】
【図１４】本願の別の実施形態に係る信号伝送装置の概略ブロック図である。
【発明を実施するための形態】
【００７７】
以下、添付の図面を参照して本願の技術的解決手段を説明する。
【００７８】
図１は、本願の一実施形態が適用されるシステムの概略図である。図１に示すように、システム１００は、ネットワークデバイス１０２と、端末デバイス１０４、１０６、１０８、１１０、１１２、および１１４とを含んでよい。ネットワークデバイスおよび端末デバイスは、無線方式で接続される。図１においては、説明のために、システムが１つのネットワークデバイスを含む場合を単なる一例として用いていることを理解されたい。しかしながら、本願の本実施形態は、これに限定されない。例えば、システムは、より多数のネットワークデバイスを含んでよい。同様に、システムは、より多数の端末デバイスを含んでよい。システムはネットワークと称されてもよいことをさらに理解されたい。これは、本願の本実施形態において限定されない。
【００７９】
本明細書は、端末デバイスに関連して実施形態を説明する。端末デバイスは、ユーザ機器（Ｕｓｅｒ  Ｅｑｕｉｐｍｅｎｔ、ＵＥ）、アクセス端末、加入者ユニット、加入者局、移動局、移動局、遠隔局、遠隔端末、移動デバイス、ユーザ端末、端末、無線通信デバイス、ユーザエージェント、またはユーザ装置と称されてもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、無線モデムに接続されたコンピューティングデバイスまたは別の処理デバイス、車載デバイス、ウェアラブルデバイス、将来の５Ｇネットワークにおける端末デバイス、または将来の発展型公衆携帯電話網（Ｐｕｂｌｉｃ  Ｌａｎｄ  Ｍｏｂｉｌｅ  Ｎｅｔｗｏｒｋ、ＰＬＭＮ）における端末デバイス等であってよい。
【００８０】
限定ではなく例として、本願の実施形態において、端末デバイスはウェアラブルデバイスであってよい。ウェアラブルデバイスは、ウェアラブルインテリジェントデバイスと称されてもよく、眼鏡、手袋、時計、衣服、または靴など、ウェアラブル技術を用いて、日常的な着衣のインテリジェント設計に基づいて開発されるウェアラブルデバイスの総称的な用語である。ウェアラブルデバイスは、人体に直接装着される、あるいはユーザの衣服または装身具と一体化されるポータブルデバイスである。ウェアラブルデバイスは、単なるハードウェアデバイスではなく、ソフトウェアサポート、データ交換、またはクラウドインタラクションによって強力な機能をさらに実装する。広義には、ウェアラブルインテリジェントデバイスは、例えばスマートウォッチまたはスマートグラスといった、スマートフォンに依拠することなく全てまたは一部の機能を実装し得る、完全な機能を備えた大型のデバイスを含み、また、例えばバイタルサインモニタリングのための様々なスマートバンドまたはスマートオーナメントといった、１つのみの特定の種類のアプリケーション機能に特化した、スマートフォンなどの別のデバイスと組み合わせて使用する必要があるデバイスを含む。
【００８１】
本明細書は、ネットワークデバイスに関連して実施形態を説明する。ネットワークデバイスは、端末デバイスと通信するよう構成されるデバイスであってよい。ネットワークデバイスは、汎欧州デジタル移動電話方式（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））または符号分割多元接続（Ｃｏｄｅ  Ｄｉｖｉｓｉｏｎ  Ｍｕｌｔｉｐｌｅ  Ａｃｃｅｓｓ、ＣＤＭＡ）における無線基地局（Ｂａｓｅ  Ｔｒａｎｓｃｅｉｖｅｒ  Ｓｔａｔｉｏｎ、ＢＴＳ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システムにおけるノードＢ（ＮｏｄｅＢ、ＮＢ）、ロングタームエボリューション（Ｌｏｎｇ  Ｔｅｒｍ  Ｅｖｏｌｕｔｉｏｎ、ＬＴＥ）システムにおける進化型ノードＢ（Ｅｖｏｌｖｅｄ  ＮｏｄｅＢ、ｅＮＢまたはｅＮｏｄｅＢ）、またはクラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラであってよい。あるいは、ネットワークデバイスは、リレーノード、アクセスポイント、車載デバイス、ウェアラブルデバイス、将来の５Ｇネットワークにおけるネットワークデバイス、または将来の発展型ＰＬＭＮネットワークにおけるネットワークデバイス等であってよい。
【００８２】
加えて、本願の実施形態において、ネットワークデバイスは、セルにサービスを提供し、端末デバイスは、当該セルにおいて用いられる伝送リソース（例えば周波数ドメインリソースまたは周波数スペクトルリソース）を用いてネットワークデバイスと通信する。セルは、ネットワークデバイス（例えば基地局）に対応するセルであってよい。セルは、マクロ基地局であってもよく、またはスモールセル（ｓｍａｌｌ  ｃｅｌｌ）に対応する基地局であってもよい。ここでのスモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、およびフェムトセル（Ｆｅｍｔｏ  ｃｅｌｌ）等を含んでよい。これらのスモールセルは、カバレッジ領域が小さく伝送電力が低いという特徴があり、高速データ伝送サービスの提供に適している。加えて、セルは、ハイパーセル（Ｈｙｐｅｒｃｅｌｌ）であってよい。伝送サービスは、アップリンク伝送サービスおよびダウンリンク伝送サービスの両方を含むことを理解されたい。本願において、伝送は、送信および／または受信を含む。
【００８３】
本明細書におけるネットワークデバイスについて、限定ではなく例として、１つのネットワークデバイスが、１つの集約ユニット（Ｃｅｎｔｒａｌｉｚｅｄ  Ｕｎｉｔ、ＣＵ）と複数の送受信ポイント（Ｔｒａｎｓｍｉｓｓｉｏｎ  Ｒｅｃｅｐｔｉｏｎ  Ｐｏｉｎｔ、ＴＲＰ）／分散ユニット（Ｄｉｓｔｒｉｂｕｔｅｄ  Ｕｎｉｔ、ＤＵ）とに分割されてよい。換言すると、ネットワークデバイスの帯域幅ベースユニット（Ｂａｎｄｗｉｄｔｈ  Ｂａｓｅｄ  Ｕｎｉｔ、ＢＢＵ）が、ＤＵ機能エンティティおよびＣＵ機能エンティティとして再構築される。集約ユニットおよびＴＲＰ／ＤＵの形態および数は、本願の実施形態に対する限定として解釈されるべきではないことに留意する必要がある。
【００８４】
ＣＵは、無線リソース制御（Ｒａｄｉｏ  Ｒｅｓｏｕｒｃｅ  Ｃｏｎｔｒｏｌ、ＲＲＣ）レイヤおよびパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）レイヤなどの無線上位レイヤプロトコルスタックの機能を処理することができ、さらには、エッジコンピューティングネットワークと呼称されるアクセスネットワークへの一部のコアネットワーク機能の下位移行をサポートすることもでき、それにより、将来の通信ネットワークにおける動画、オンラインショッピング、および仮想／拡張現実などの新出サービスのより高いネットワーク遅延要件が満たされる。
【００８５】
ＤＵは主に、物理レイヤ機能と、比較的高いリアルタイム要件を有するレイヤ２の機能とを処理することができる。無線リモートユニット（Ｒａｄｉｏ  Ｒｅｍｏｔｅ  Ｕｎｉｔ、ＲＲＵ）およびＤＵの伝送リソースを考慮して、ＤＵの一部の物理レイヤ機能がＲＲＵに上位移行されてよい。ＲＲＵの小型化に伴い、よりいっそう根本的には、ＤＵがＲＲＵと組み合わされてよい。
【００８６】
ＣＵは、集約的に配されてよい。ＤＵの配置は、実際のネットワーク環境に依拠する。ＤＵは、トラフィック密度が比較的高く局間距離が比較的小さい都市中心部の地域、または、例えば大学もしくは大規模公演会場といった機器室リソースの限られた地域に集約的に配されてよい。ＤＵは、例えば郊外部または山岳地域といった、トラフィックが低密度で局間距離が大きい地域に分散的に配されてよい。
【００８７】
５Ｇ  ＮＲシステムにおいては、複数のビームを考慮して、複数の同期信号ブロック（Ｓｙｎｃｈｒｏｎｉｚａｔｉｏｎ  Ｓｉｇｎａｌ  ｂｌｏｃｋ、ＳＳ  ｂｌｏｃｋ、ＳＳＢ）が用いられる。
【００８８】
図２は、本願の一実施形態に係る同期信号ブロックのリソース構造の、限定ではなく一例の概略図である。
【００８９】
図２に示すように、各ＳＳＢは、１つの直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル上のプライマリ同期信号（Ｐｒｉｍａｒｙ  Ｓｙｎｃｈｒｏｎｉｚａｔｉｏｎ  Ｓｉｇｎａｌ、ＰＳＳ）と、１つのシンボル上のセカンダリ同期信号（Ｓｅｃｏｎｄａｒｙ  Ｓｙｎｃｈｒｏｎｉｚａｔｉｏｎ  Ｓｉｇｎａｌ、ＳＳＳ）と、２つのシンボル上のＰＢＣＨとを含んでよい。ＮＲ−ＰＳＳ／ＳＳＳのシーケンス長は１２７である。ＮＲ−ＰＳＳ／ＳＳＳは、周波数において１２７個のサブキャリア（Ｓｕｂｃａｒｒｉｅｒ、ＳＣ）を占有し、ＮＲ−ＰＢＣＨは、周波数ドメインにおいて２８８個のサブキャリアを占有する。
【００９０】
いくつかの可能な実装において、ＮＲ−ＳＳＳは、ＮＲ−ＰＢＣＨのコヒーレント復調のために用いられてよい。
【００９１】
ＮＲ−ＰＳＳ／ＳＳＳの帯域幅はＮＲ−ＰＢＣＨの帯域幅と一致しない場合があるので、ＮＲ−ＳＳＳのＡＰがＮＲ−ＰＢＣＨのＡＰと一致していても、ＮＲ−ＰＢＣＨのコヒーレント復調は、ＮＲ−ＳＳＳに完全には依拠しない場合がある。したがって、ＮＲ−ＰＢＣＨの新たなリソース構造を検討する必要があり、参照信号を用いる必要がある。当該参照信号は、ＮＲ−ＰＢＣＨ復調用参照信号（Ｄｅｍｏｄｕｌａｔｉｏｎ  Ｒｅｆｅｒｅｎｃｅ  Ｓｉｇｎａｌ、ＤＭＲＳ）と称されてよい。ＮＲ−ＰＢＣＨ復調用参照信号は、別の呼称であってよい。これは、本願において限定されない。
【００９２】
本願の実施形態においては、簡潔のために、同期信号ブロックにおけるＮＲ−ＰＳＳ、ＮＲ−ＳＳＳ、およびＮＲ−ＰＢＣＨを、それぞれＰＳＳ、ＳＳＳ、およびＰＢＣＨと簡潔に称する。ＰＢＣＨはブロードキャスト信号を表してよいことを理解されたい。
【００９３】
本願の実施形態において、同期信号ブロックにおけるＰＳＳ、ＳＳＳ、およびＰＢＣＨの位置は変更されてよいことを理解されたい。例えば、ＰＳＳの位置とＳＳＳの位置とが互いに交換されてもよく、またはＳＳＳがＰＢＣＨの中間に位置してもよい。これは、本願の実施形態において限定されない。
【００９４】
本願の実施形態の技術的解決手段において提供される参照信号は、ＰＢＣＨ復調のために用いられてよく、さらには他のチャネルの推定のために用いられてよいことを理解されたい。これは、本願の実施形態において限定されない。
【００９５】
本願の実施形態において、シンボルおよびサブキャリアはそれぞれ、時間ドメインおよび周波数ドメインにおける信号伝送時間周波数リソースの粒度単位を表すことを理解されたい。シンボルおよびサブキャリアは、現行の通信システムにおける意味を有してよく、さらに将来の通信システムにおける意味を有してもよい。加えて、シンボルおよびサブキャリアの呼称が将来の通信システムにおいて変更された場合、シンボルおよびサブキャリアは、将来の通信システムにおける呼称に変更されてもよい。
【００９６】
図３は、本願の一実施形態に係る信号伝送方法の概略フローチャートである。図３において、ネットワークデバイスは図１のネットワークデバイス１０２であってよく、端末デバイスは図１の端末デバイス１０４、１０６、１０８、１１０、１１２、および１１４のうちの端末デバイスであってよい。当然ながら、実際のシステムにおけるネットワークデバイスの数および端末デバイスの数は、本実施形態または別の実施形態において与えられる一例に限定されなくてよく、以下では詳細を改めて説明しない。
【００９７】
３１０．ネットワークデバイスが参照信号を生成する。この段階は任意である。
【００９８】
任意で、本願の本実施形態における参照信号は、チャネル推定、例えばＰＢＣＨ復調に用いられてよい。しかしながら、これは本願の本実施形態において限定されない。
【００９９】
ネットワークデバイスは、疑似ランダムシーケンスに基づいて参照信号を生成してよい。ネットワークデバイスが参照信号を生成する方式は、本願の本実施形態において限定されない。本願の別の実施形態において提供される参照信号生成ソリューションが以下の説明において与えられているが、当該参照信号生成ソリューションが本実施形態において用いられてもよい。
【０１００】
３２０．ネットワークデバイスが参照信号を送信する。参照信号は、特定の時間周波数リソースにおいて送信され、特定の時間周波数リソースは、同期信号ブロックに対応するシンボル上に位置する。
【０１０１】
本願の本実施形態において、特定の時間周波数リソースは、参照信号の時間周波数リソースマッピング範囲を表し、特定の時間周波数リソースは、特定の時間周波数リソース領域と称されてもよい。特定の時間周波数リソースは、同期信号ブロックに対応するシンボル上に位置する。具体的には、本願の本実施形態においては、参照信号を、無線フレーム（Ｒａｄｉｏ  Ｆｒａｍｅ）のシステム帯域幅全体に分配するのではなく、同期信号ブロックに対応するシンボル上における特定の時間周波数リソース領域のみにおいて送信することができる。これにより、本願の本実施形態における参照信号を用いて、同期信号ブロックに対応するシンボル上の信号の復調、例えばＰＢＣＨ復調を保証することができる。加えて、占有される時間周波数リソースが比較的少数になり、それによりリソースオーバヘッドが低減される。
【０１０２】
任意で、本願の一実施形態において、参照信号は、特定の時間周波数リソースにおいて送信される。具体的には、参照信号は、特定の時間周波数リソースにおいて離散的にマッピングされる。参照信号にマッピングされるリソースエレメント（Ｒｅｓｏｕｒｃｅ  Ｅｌｅｍｅｎｔ、ＲＥ）が非集約的または非連続的に分配されると理解されてもよい。
【０１０３】
任意で、特定の時間周波数リソースにおいて、参照信号にマッピングされる複数のＲＥは、時間ドメインにおいて隣接せず、周波数ドメインにおいて隣接しなくてよい、または、参照信号にマッピングされる複数のＲＥは、時間ドメインにおいて隣接し、周波数ドメインにおいて隣接しない、または、参照信号にマッピングされる複数のＲＥは、周波数ドメインにおいて隣接し、時間ドメインにおいて隣接しない。
【０１０４】
本願の本実施形態において、特定の時間周波数リソースの時間ドメイン範囲は、同期信号ブロックに対応するシンボルであり、同期信号ブロックに対応するシンボルの一部、例えば、同期信号ブロックのＰＢＣＨに対応するシンボル、または同期信号ブロックのプライマリ同期信号および／またはセカンダリ同期信号に対応するシンボルであってもよく、あるいは、同期信号ブロックに対応するシンボルの全てであってもよい。特定の時間周波数リソースの周波数ドメイン範囲は、同期信号ブロックのＰＢＣＨに対応するサブキャリアであってもよく、あるいは、システム帯域幅全体または部分的な帯域幅等であってもよい。以下の実施形態における例において、特定の時間周波数リソースの周波数ドメイン範囲は、同期信号ブロックのＰＢＣＨに対応するサブキャリアである。しかしながら、これは本願の実施形態において限定されない。
【０１０５】
任意で、本願の一実施形態において、特定の時間周波数リソースは、同期信号ブロックのＰＢＣＨに対応する少なくとも１つのシンボルを含む。
【０１０６】
具体的に、特定の時間周波数リソースは、同期信号ブロックのＰＢＣＨに対応するシンボルを含むが、同期信号ブロックの同期信号に対応するシンボルを含まないものであってよい。換言すると、ＰＢＣＨに対応するシンボルのみにおいて参照信号を送信することができる。
【０１０７】
例えば、ＰＢＣＨに対応する２８８個のサブキャリアおよび２つのシンボルの特定の時間周波数リソースのみにおいて、参照信号を送信することができる。換言すると、特定の時間周波数リソースは、ＰＢＣＨに対応する２８８個のサブキャリアおよび２つのシンボルであってよい。
【０１０８】
任意で、本願の一実施形態において、図４に示すように、参照信号は、ＰＢＣＨに対応する２つのシンボルのみにおいて送信される。参照信号にマッピングされる複数のＲＥは、時間ドメインにおいて隣接せず、周波数ドメインにおいて隣接しない。換言すると、参照信号は、時間ドメインおよび周波数ドメインにおいてインターリーブされたＲＥにマッピングされる。
【０１０９】
任意で、異なるセルの参照信号は、異なるリソース位置にマッピングされてよい。具体的には、参照信号のリソースマッピングは、セル識別子に依拠するものであってよく、それによりセル間での参照信号の相互干渉が回避される。図５に示すように、図４のものとは異なる別のセルにおける参照信号のリソース位置は、図４におけるものと異なっていてよい。
【０１１０】
端末デバイスは、チャネル推定を行うときに、隣接する参照信号に対して線形補間を行うことで、参照信号がマッピングされていないＲＥを比較的高精度に推定してよく、それによりＰＢＣＨ復調の正確性が保証される。
【０１１１】
本実施形態においては、各ＰＢＣＨに対応するシンボル上に参照信号が存在する。したがって、ＰＢＣＨ復調のために、チャネル推定が同期信号に依拠することなく行われてよい。
【０１１２】
任意で、本願の一実施形態において、図６に示すように、参照信号は、ＰＢＣＨに対応する２つのシンボルのみにおいて送信される。参照信号にマッピングされる２つのＲＥは、時間ドメインにおいて隣接し、周波数ドメインにおいて隣接しない。換言すると、参照信号は、時間ドメインにおいて連続するＲＥにマッピングされる。
【０１１３】
任意で、異なるセルの参照信号は、異なるリソース位置にマッピングされてよい。具体的には、参照信号のリソースマッピングは、セル識別子に依拠するものであってよく、それによりセル間での参照信号の相互干渉が回避される。図７に示すように、図６のものとは異なる別のセルにおける参照信号のリソース位置は、図６におけるものと異なっていてよい。
【０１１４】
本実施形態においては、参照信号が時間ドメインにおいて連続するＲＥにマッピングされることで、連続するリソースに対して直交カバーコード（Ｏｒｔｈｏｇｏｎａｌ  Ｃｏｖｅｒ  Ｃｏｄｅ、ＯＣＣ）を用いることにより参照信号のＡＰの数を増大させることができ、それによりマルチＡＰのＰＢＣＨ伝送ソリューションがサポートされる。
【０１１５】
上述の実施形態において、参照信号にマッピングされるＲＥは、時間ドメインにおいて隣接し、周波数ドメインにおいて隣接しない。任意で、参照信号にマッピングされるＲＥは、周波数ドメインにおいて隣接し、時間ドメインにおいて隣接しないものであってよい。換言すると、参照信号は、周波数ドメインにおいて連続するＲＥにマッピングされてよい。これにより、同様に、連続するリソースに対して直交カバーコードを用いることにより参照信号のＡＰの数を増大させることができ、それによりマルチＡＰのＰＢＣＨ伝送ソリューションがサポートされる。
【０１１６】
任意で、本願の一実施形態において、参照信号は、ＰＢＣＨに対応する少なくとも１つのシンボル上で送信されない。ＰＢＣＨに対応する一部のシンボル上では参照信号が送信されると理解されてもよい。
【０１１７】
本実施形態において、参照信号は、ＰＢＣＨに対応する全てのシンボル上では送信されない。例えば、参照信号は、ＰＢＣＨに対応する１つのシンボル上のみにおいて送信されてもよく、またはＰＢＣＨに対応するいずれのシンボル上においても送信されなくてよい。
【０１１８】
例えば、図８に示すように、参照信号は、ＰＢＣＨに対応する１つのシンボル上のみにおいて送信される。図９に示すように、参照信号は、ＰＢＣＨに対応する２つのシンボル上のいずれにおいても送信されない。
【０１１９】
上述の実施形態と同様に、異なるセルの参照信号は、異なるリソース位置にマッピングされてよい。具体的には、参照信号のリソースマッピングは、セル識別子に依拠するものであってよく、それによりセル間での参照信号の相互干渉が回避される。簡潔のために、以下の実施形態においては詳細を改めて説明しない。
【０１２０】
参照信号がＰＢＣＨに対応する２つのシンボル上のいずれにおいても送信されない場合、端末デバイスは、ＳＳＳに基づいてチャネル推定を行う。参照信号がＰＢＣＨに対応する１つのシンボル上で送信される場合、端末デバイスは、チャネル推定を行うときに、ＳＳＳおよび隣接する参照信号に対して線形補間を行うことで、参照信号がマッピングされていないＲＥを比較的高精度に推定してよく、それによりＰＢＣＨ復調の正確性が保証される。これにより、ＰＢＣＨに対応するシンボルにおける参照信号のリソースオーバヘッドが低減される。
【０１２１】
任意で、本願の一実施形態において、特定の時間周波数リソースの第１領域において参照信号にマッピングされるＲＥの数は、特定の時間周波数リソースの第２領域において参照信号にマッピングされるＲＥの数よりも多く、同期信号ブロックのプライマリ同期信号および／またはセカンダリ同期信号は、第１領域に対応するサブキャリア上で送信されず、プライマリ同期信号および／またはセカンダリ同期信号は、第２領域に対応するサブキャリア上で送信される。
【０１２２】
具体的に、同期信号の帯域幅はＰＢＣＨの帯域幅と一致しないので、特定の時間周波数リソースには２種類の領域が存在する。同期信号ブロックのプライマリ同期信号および／またはセカンダリ同期信号は、第１領域に対応するサブキャリア上で送信されず、プライマリ同期信号および／またはセカンダリ同期信号は、第２領域に対応するサブキャリア上で送信される。この２種類の領域について、異なる数のＲＥが参照信号へのマッピングに用いられてよい。具体的には、第１領域において参照信号にマッピングされるＲＥの数は、第２領域において参照信号にマッピングされるＲＥの数よりも多くてよい。
【０１２３】
例えば、図１０において、上側の領域では同期信号が送信され、下側の領域では同期信号が送信されない。したがって、ＰＢＣＨに対応するシンボルの上側の領域では参照信号リソースが比較的低密度であり、ＰＢＣＨに対応するシンボルの下側の領域では参照信号リソースが比較的高密度である。
【０１２４】
ＳＳＳが送信される場合、端末デバイスは、ＳＳＳに対して線形補間を行うことによりＰＢＣＨ推定の正確性を向上してよく、それにより参照信号の必要性が小さくなる。
【０１２５】
任意で、本願の一実施形態において、特定の時間周波数リソースは、同期信号ブロックのプライマリ同期信号および／またはセカンダリ同期信号に対応するシンボルをさらに含んでよい。
【０１２６】
特定の時間周波数リソースの第３領域において、参照信号は、プライマリ同期信号および／またはセカンダリ同期信号に対応するシンボル上で送信される。特定の時間周波数リソースの第４領域において、参照信号は、プライマリ同期信号および／またはセカンダリ同期信号に対応するシンボル上で送信されない。プライマリ同期信号および／またはセカンダリ同期信号は、第３領域に対応するサブキャリア上で送信されない。プライマリ同期信号および／またはセカンダリ同期信号は、第４領域に対応するサブキャリア上で送信される。
【０１２７】
具体的に、本実施形態においては、特定の時間周波数リソースが、同期信号ブロックのプライマリ同期信号および／またはセカンダリ同期信号に対応するシンボルをさらに含むように拡張される。加えて、同期信号の帯域幅がＰＢＣＨの帯域幅と一致しない場合、プライマリ同期信号および／またはセカンダリ同期信号が送信されない領域においては、プライマリ同期信号および／またはセカンダリ同期信号に対応するシンボル上で参照信号が送信され、プライマリ同期信号および／またはセカンダリ同期信号が送信される領域においては、プライマリ同期信号および／またはセカンダリ同期信号に対応するシンボル上で参照信号が送信されない。
【０１２８】
例えば、図１１において、下側の領域ではセカンダリ同期信号が送信されない。したがって、参照信号は、セカンダリ同期信号に対応するシンボルの下側の領域において送信される。任意で、ＰＢＣＨに対応するシンボルの下側の領域においては、参照信号が全くまたはほとんど送信されなくてよい。
【０１２９】
これにより、ＰＢＣＨのリソースが全くまたはほとんど占有されないようにしつつ、ＳＳＳのないＰＲＢ上において、端末デバイスが時間ドメイン参照信号に対して線形補間を行うことにより、ＰＢＣＨ推定の正確性を向上してよい。
【０１３０】
いくつかの変更が本願の実施形態に加えられてよいことを理解されたい。例えば、参照信号のリソース位置または参照信号の数は、適宜変更されてよい。これらの変更もまた、本願の実施形態として見なされるべきである。簡潔のために、これらと同様の変更については１つ１つ説明しない。
【０１３１】
本願の実施形態の実装は、別個に実装されてもよく、またはまとめて実装されてもよいことを理解されたい。これは、本願の実施形態において限定されない。
【０１３２】
参照信号をリソース位置にマッピングするための様々なソリューションが、上述の実施形態において与えられている。参照信号シーケンスをリソース位置にマッピングする具体的な方式は、本願の実施形態において限定されないことを理解されたい。本願の別の実施形態において提供される具体的なマッピング方式が以下の説明において与えられているが、当該具体的なマッピング方式が本実施形態に組み合わされてよい。
【０１３３】
参照信号の伝送について、端末デバイスは、それに応じて参照信号を受信し、後続する処理を行う、例えば参照信号に基づいてチャネル推定を行う。端末デバイスが受信することは、ネットワークデバイスが送信することに対応し、したがって詳細は改めて説明しない。
【０１３４】
参照信号がマッピングされるリソース位置は、上述の実施形態において説明されている。本願の実施形態は、参照信号生成ソリューションをさらに提供し、これについて以下詳細に説明する。以下の実施形態が上述の実施形態と組み合わされてよいことを理解されたい。例えば、参照信号は、以下の実施形態における方式で生成され、次いで上述の実施形態における伝送方式で送信されてよい。加えて、以下の実施形態について、上述の実施形態における関連する説明を参照されたい。簡潔のために、詳細は改めて説明しない。
【０１３５】
図１２は、本願の別の実施形態に係る信号伝送方法の概略フローチャートである。
【０１３６】
１２１０．ネットワークデバイスが、時間周波数リソースユニットを単位として用いて参照信号を生成する。時間周波数リソースユニットは、同期信号ブロックに対応するシンボル上に位置する。
【０１３７】
本願の本実施形態において、時間周波数リソースユニットは、同期信号ブロックに対応するシンボル上に位置し、ネットワークデバイスは、時間周波数リソースユニットを単位として用いて参照信号を生成する。換言すると、ネットワークデバイスが参照信号を生成するときに基づく単位は、無線フレームではなく、同期信号ブロックに対応するシンボルに限られる。これにより、複数の異なる同期信号ブロックにわたって参照信号シーケンスが繰り返されてよく、したがって端末デバイスは、参照信号検出の間に長いシーケンスからシーケンスを抽出する必要がない。
【０１３８】
本願の本実施形態において、時間周波数リソースユニットの時間ドメイン範囲は、同期信号ブロックに対応するシンボルであり、同期信号ブロックに対応するシンボルの全てであってもよく、または同期信号ブロックに対応するシンボルの一部であってもよい。例えば、時間周波数リソースユニットの時間ドメイン範囲は、同期信号ブロックのＰＢＣＨに対応するシンボルであってもよく、または同期信号ブロックのプライマリ同期信号および／またはセカンダリ同期信号に対応するシンボルであってもよい。時間周波数リソースユニットの周波数ドメイン範囲は、同期信号ブロックに対応する全てのサブキャリアであってもよく、または同期信号ブロックに対応する１または複数のＰＲＢのサブキャリアであってもよく、またはシステム帯域幅全体であってもよい。これは、本願の本実施形態において限定されない。
【０１３９】
任意で、本願の一実施形態において、時間周波数リソースユニットは、少なくとも１つのＰＲＢ上における同期信号ブロックのＰＢＣＨに対応する時間周波数リソースである。
【０１４０】
換言すると、時間周波数リソースユニットは、同期信号ブロックのＢＰＣＨに対応する全ての時間周波数リソースであってもよく、または、１または複数のＰＲＢ上における同期ブロックのＰＢＣＨに対応する時間周波数リソースであってもよい。
【０１４１】
任意で、本願の一実施形態において、時間周波数リソースユニットは、少なくとも１つのＰＲＢ上における同期信号ブロックに対応する時間周波数リソースである。
【０１４２】
任意で、本願の一実施形態において、時間周波数リソースユニットは、同期信号ブロックに対応する時間周波数リソースである。
【０１４３】
任意で、本願の一実施形態において、時間周波数リソースユニットは、少なくとも１つのＰＲＢ上における同期信号ブロックのプライマリ同期信号および／またはセカンダリ同期信号に対応する時間周波数リソースである。
【０１４４】
任意で、本願の一実施形態において、マルチサブバンドシステムの場合、時間周波数リソースユニットの周波数ドメイン範囲は、システム帯域幅全体に拡張されてよい。
【０１４５】
ネットワークデバイスは、時間周波数リソースユニットを単位として用いて参照信号シーケンスを生成する。換言すると、参照信号シーケンスの長さは、時間周波数リソースユニットに依存する。
【０１４６】
任意で、本願の一実施形態において、参照信号を生成するためのパラメータは、セルＩＤ、サブバンドシーケンス番号、ＰＲＢシーケンス番号、およびアンテナポート番号のうちの少なくとも１つに関連付けられる。
【０１４７】
例えば、参照信号シーケンスは以下の形態であってよい。
【数１】
2020519191.tif 000003
式中、ｍは、シーケンスにおけるｍ番目の単位（または要素とも称される）を示し、ｌは、１つのＳＳブロックにおけるＯＦＤＭシンボルのシーケンス番号であり、ｍおよびｌの値は、時間周波数リソースユニットに基づいて決定されてよく、ｐはアンテナポート番号であり、ｃ（ｍ）は、疑似ランダムシーケンスであり、以下のように初期化されてよい。
【数２】
2020519191.tif 000004
式中、
【数３】
2020519191.tif 000005
は、セルＩＤである。
【０１４８】
式（１）において、ｍおよびｌの値は時間周波数リソースユニットに基づいて決定されてよく、これにより、参照信号シーケンスの長さが時間周波数リソースユニットに基づいて決定されてよい。したがって、この方式で生成される参照信号シーケンスの単位として、時間周波数リソースユニットが用いられる。具体的には、複数の異なる時間周波数リソースユニット上で参照信号シーケンスが繰り返されてよく、それにより、端末デバイスが参照信号検出の間に長いシーケンスからシーケンスを抽出することが防止される。
【０１４９】
１２２０．ネットワークデバイスが参照信号を送信する。この処理は任意である。
【０１５０】
任意で、本願の一実施形態において、参照信号は、時間周波数リソースユニットを単位として用いてマッピングされてよい。
【０１５１】
ネットワークデバイスは、時間周波数リソースユニットを単位として用いて参照信号を生成した後、送信の間に、時間周波数リソースユニットを単位として用いて参照信号をマッピングしてよい。換言すると、各時間周波数リソースユニットに基づいて参照信号が独立に生成およびマッピングされてよい。この方式は、拡張が容易であり、また物理チャネルリソースブロックのサイズによって制限されない。
【０１５２】
任意で、本願の一実施形態において、参照信号をマッピングする方式は、セルＩＤ、サブバンドシーケンス番号、ＰＲＢシーケンス番号、およびアンテナポート番号のうちの少なくとも１つに関連付けられる。
【０１５３】
例えば、上述のシーケンス
【数４】
2020519191.tif 000006
が、複素変調シンボル
【数５】
2020519191.tif 000007
にマッピングされ、次いでタイムスロットポートの参照シンボルとして用いられる。
【数６】
2020519191.tif 000008
式中、変数
【数７】
2020519191.tif 000009
および
【数８】
2020519191.tif 000010
は、参照信号の周波数ドメイン位置を規定し、周波数シフト
【数９】
2020519191.tif 000011
であり、
【数１０】
2020519191.tif 000012
は、リソースブロック（ＲＢ）が単位として用いられる構成ダウンリンクシステム帯域幅を表し、
【数１１】
2020519191.tif 000013
は、リソースブロック（ＲＢ）が単位として用いられる最大ダウンリンクシステム帯域幅を表し、
【数１２】
2020519191.tif 000014
は、サブキャリアシーケンス番号であり、
【数１３】
2020519191.tif 000015
は、マッピング単位である。
【０１５４】
任意で、ＰＢＣＨが有する伝送ポートの数は限られているので、異なるアンテナポートに対応する参照信号について、周波数分割多重（Ｆｒｅｑｕｅｎｃｙ  Ｄｉｖｉｓｉｏｎ  Ｍｕｌｔｉｐｌｅｘｉｎｇ、ＦＤＭ）、時分割多重（Ｔｉｍｅ  Ｄｉｖｉｓｉｏｎ  Ｍｕｌｔｉｐｌｅｘｉｎｇ、ＴＤＭ）、または符号分割多重（Ｃｏｄｅ  Ｄｉｖｉｓｉｏｎ  Ｍｕｌｔｉｐｌｅｘｉｎｇ、ＣＤＭ）によって直交性が確保されてよい（ＯＣＣが用いられてもよい）。
【０１５５】
参照信号の伝送について、端末デバイスは、それに応じて参照信号を受信し、後続する処理を行う、例えば参照信号に基づいてチャネル推定を行う。端末デバイスが受信することは、ネットワークデバイスが送信することに対応し、したがって詳細は改めて説明しない。
【０１５６】
本願の実施形態における具体例は、本願の実施形態の範囲を限定するものではなく、当業者が本願の実施形態をより十分に理解する助けとなるよう意図したものに過ぎないことを理解されたい。
【０１５７】
本願の実施形態において、上述のプロセスの連続番号は、実行の順序を意味するものではないことを理解されたい。プロセスの実行の順序は、プロセスの機能および内部論理に基づいて決定されるべきであり、本願の実施形態における実装プロセスに対するいかなる限定としても解されるべきではない。
【０１５８】
以上、本願の実施形態に係る信号伝送方法を詳細に説明した。以下、本願の実施形態に係る信号伝送装置を説明する。
【０１５９】
図１３は、本願の一実施形態に係る信号伝送装置１３００の概略ブロック図である。装置１３００は、ネットワークデバイスであってよい。
【０１６０】
装置１３００は、方法の実施形態におけるネットワークデバイスに対応してよく、方法におけるネットワークデバイスの任意の機能を有してよいことを理解されたい。
【０１６１】
図１３に示すように、装置１３００は、プロセッサ１３１０および送受信機１３２０を含む。
【０１６２】
一実施形態において、プロセッサ１３１０は、参照信号を生成するよう構成され、送受信機１３２０は、参照信号を送信するよう構成され、参照信号は、特定の時間周波数リソースにおいて送信され、特定の時間周波数リソースは、同期信号ブロックに対応するシンボル上に位置する。
【０１６３】
任意で、特定の時間周波数リソースは、同期信号ブロックの物理ブロードキャストチャネルＰＢＣＨに対応する少なくとも１つのシンボルを含む。
【０１６４】
任意で、特定の時間周波数リソースにおいて、参照信号にマッピングされる複数のリソースエレメントＲＥは、時間ドメインにおいて隣接せず、周波数ドメインにおいて隣接しない、または、参照信号にマッピングされる複数のＲＥは、時間ドメインにおいて隣接し、周波数ドメインにおいて隣接しない、または、参照信号にマッピングされる複数のＲＥは、周波数ドメインにおいて隣接し、時間ドメインにおいて隣接しない。
【０１６５】
任意で、参照信号は、ＰＢＣＨに対応する少なくとも１つのシンボル上で送信されない。
【０１６６】
任意で、特定の時間周波数リソースの第１領域において参照信号にマッピングされるＲＥの数は、特定の時間周波数リソースの第２領域において参照信号にマッピングされるＲＥの数よりも多く、同期信号ブロックのプライマリ同期信号および／またはセカンダリ同期信号は、第１領域に対応するサブキャリア上で送信されず、プライマリ同期信号および／またはセカンダリ同期信号は、第２領域に対応するサブキャリア上で送信される。
【０１６７】
任意で、特定の時間周波数リソースは、同期信号ブロックのプライマリ同期信号および／またはセカンダリ同期信号に対応するシンボルをさらに含む。
【０１６８】
特定の時間周波数リソースの第３領域において、参照信号は、プライマリ同期信号および／またはセカンダリ同期信号に対応するシンボル上で送信される。特定の時間周波数リソースの第４領域において、参照信号は、プライマリ同期信号および／またはセカンダリ同期信号に対応するシンボル上で送信されない。プライマリ同期信号および／またはセカンダリ同期信号は、第３領域に対応するサブキャリア上で送信されない。プライマリ同期信号および／またはセカンダリ同期信号は、第４領域に対応するサブキャリア上で送信される。
【０１６９】
任意で、特定の時間周波数リソースの周波数ドメイン範囲は、同期信号ブロックのＰＢＣＨに対応するサブキャリアである。
【０１７０】
任意で、プロセッサ１３１０は、時間周波数リソースユニットを単位として用いて参照信号を生成するよう構成され、時間周波数リソースユニットは、同期信号ブロックに対応するシンボル上に位置する。
【０１７１】
任意で、時間周波数リソースユニットは、少なくとも１つの物理リソースブロックＰＲＢ上における同期信号ブロックのＰＢＣＨに対応する時間周波数リソースである、または、時間周波数リソースユニットは、同期信号ブロックに対応する時間周波数リソースである。
【０１７２】
任意で、参照信号を生成するためのパラメータは、セルＩＤ、サブバンドシーケンス番号、ＰＲＢシーケンス番号、およびアンテナポート番号のうちの少なくとも１つに関連付けられる。
【０１７３】
任意で、送信機１３２０は、時間周波数リソースユニットを単位として用いて参照信号をマッピングするよう構成される、または、プロセッサ１３１０は、時間周波数リソースユニットを単位として用いて参照信号をマッピングするよう構成される。
【０１７４】
任意で、参照信号をマッピングする方式は、セルＩＤ、サブバンドシーケンス番号、ＰＲＢシーケンス番号、およびアンテナポート番号のうちの少なくとも１つに関連付けられる。
【０１７５】
別の実施形態において、プロセッサ１３１０は、時間周波数リソースユニットを単位として用いて参照信号を生成するよう構成され、時間周波数リソースユニットは、同期信号ブロックに対応するシンボル上に位置し、送受信機１３２０は、参照信号を送信するよう構成される。
【０１７６】
任意で、時間周波数リソースユニットは、少なくとも１つの物理リソースブロックＰＲＢ上における同期信号ブロックの物理ブロードキャストチャネルＰＢＣＨに対応する時間周波数リソースである、または、時間周波数リソースユニットは、同期信号ブロックに対応する時間周波数リソースである。
【０１７７】
任意で、参照信号を生成するためのパラメータは、セルＩＤ、サブバンドシーケンス番号、ＰＲＢシーケンス番号、およびアンテナポート番号のうちの少なくとも１つに関連付けられる。
【０１７８】
任意で、送信機１３２０は、時間周波数リソースユニットを単位として用いて参照信号をマッピングするよう構成される。
【０１７９】
任意で、参照信号をマッピングする方式は、セルＩＤ、サブバンドシーケンス番号、ＰＲＢシーケンス番号、およびアンテナポート番号のうちの少なくとも１つに関連付けられる。
【０１８０】
図１４は、本願の別の実施形態に係る信号伝送装置１４００の概略ブロック図である。装置１４００は、端末デバイスであってよい。
【０１８１】
装置１４００は、方法の実施形態における端末デバイスに対応してよく、方法における端末デバイスの任意の機能を有してよいことを理解されたい。
【０１８２】
図１４に示すように、装置１４００は、送受信機１４２０を含み、任意で、プロセッサ１４１０をさらに含む。
【０１８３】
一実施形態において、送受信機１４２０は、参照信号を受信するよう構成され、参照信号は、特定の時間周波数リソースにおいて送信され、特定の時間周波数リソースは、同期信号ブロックに対応するシンボル上に位置する。
【０１８４】
任意で、プロセッサ１４１０は、参照信号に基づいてチャネル推定を行うよう構成される。
【０１８５】
任意で、特定の時間周波数リソースは、同期信号ブロックの物理ブロードキャストチャネルＰＢＣＨに対応する少なくとも１つのシンボルを含む。
【０１８６】
任意で、特定の時間周波数リソースにおいて、参照信号にマッピングされる複数のリソースエレメントＲＥは、時間ドメインにおいて隣接せず、周波数ドメインにおいて隣接しない、または、参照信号にマッピングされる複数のＲＥは、時間ドメインにおいて隣接し、周波数ドメインにおいて隣接しない、または、参照信号にマッピングされる複数のＲＥは、周波数ドメインにおいて隣接し、時間ドメインにおいて隣接しない。
【０１８７】
任意で、参照信号は、ＰＢＣＨに対応する少なくとも１つのシンボル上で送信されない。
【０１８８】
任意で、特定の時間周波数リソースの第１領域において参照信号にマッピングされるＲＥの数は、特定の時間周波数リソースの第２領域において参照信号にマッピングされるＲＥの数よりも多く、同期信号ブロックのプライマリ同期信号および／またはセカンダリ同期信号は、第１領域に対応するサブキャリア上で送信されず、プライマリ同期信号および／またはセカンダリ同期信号は、第２領域に対応するサブキャリア上で送信される。
【０１８９】
任意で、特定の時間周波数リソースは、同期信号ブロックのプライマリ同期信号および／またはセカンダリ同期信号に対応するシンボルをさらに含む。
【０１９０】
特定の時間周波数リソースの第３領域において、参照信号は、プライマリ同期信号および／またはセカンダリ同期信号に対応するシンボル上で送信される。特定の時間周波数リソースの第４領域において、参照信号は、プライマリ同期信号および／またはセカンダリ同期信号に対応するシンボル上で送信されない。プライマリ同期信号および／またはセカンダリ同期信号は、第３領域に対応するサブキャリア上で送信されない。プライマリ同期信号および／またはセカンダリ同期信号は、第４領域に対応するサブキャリア上で送信される。
【０１９１】
任意で、特定の時間周波数リソースの周波数ドメイン範囲は、同期信号ブロックのＰＢＣＨに対応するサブキャリアである。
【０１９２】
任意で、参照信号は、時間周波数リソースユニットを単位として用いて生成され、時間周波数リソースユニットは、同期信号ブロックに対応するシンボル上に位置する。
【０１９３】
任意で、時間周波数リソースユニットは、少なくとも１つの物理リソースブロックＰＲＢ上における同期信号ブロックのＰＢＣＨに対応する時間周波数リソースである、または、時間周波数リソースユニットは、同期信号ブロックに対応する時間周波数リソースである。
【０１９４】
任意で、参照信号を生成するためのパラメータは、セルＩＤ、サブバンドシーケンス番号、またはＰＲＢシーケンス番号のうちの少なくとも１つに関連付けられる。
【０１９５】
任意で、参照信号は、時間周波数リソースユニットを単位として用いてマッピングされる。
【０１９６】
任意で、参照信号をマッピングする方式は、セルＩＤ、サブバンドシーケンス番号、ＰＲＢシーケンス番号、およびアンテナポート番号のうちの少なくとも１つに関連付けられる。
【０１９７】
別の実施形態において、送受信機１４２０は、参照信号を受信するよう構成され、参照信号は、時間周波数リソースユニットを単位として用いて生成され、時間周波数リソースユニットは、同期信号ブロックに対応するシンボル上に位置する。
【０１９８】
任意で、装置１４００は、参照信号に基づいてチャネル推定を行うよう構成されるプロセッサ１４１０をさらに含む。
【０１９９】
任意で、時間周波数リソースユニットは、少なくとも１つの物理リソースブロックＰＲＢ上における同期信号ブロックの物理ブロードキャストチャネルＰＢＣＨに対応する時間周波数リソースである、または、時間周波数リソースユニットは、同期信号ブロックに対応する時間周波数リソースである。
【０２００】
任意で、参照信号を生成するためのパラメータは、セルＩＤ、サブバンドシーケンス番号、またはＰＲＢシーケンス番号のうちの少なくとも１つに関連付けられる。
【０２０１】
任意で、参照信号は、時間周波数リソースユニットを単位として用いてマッピングされる。
【０２０２】
任意で、参照信号をマッピングする方式は、セルＩＤ、サブバンドシーケンス番号、ＰＲＢシーケンス番号、およびアンテナポート番号のうちの少なくとも１つに関連付けられる。
【０２０３】
本願の実施形態におけるプロセッサ１３１０またはプロセッサ１４１０は、処理ユニットまたはチップを用いて実装されてよいことを理解されたい。任意で、一実装プロセスにおいて、処理ユニットは、マッピングユニット、および／または信号生成ユニット、および／またはチャネル推定ユニットなどの複数のユニットを含んでよい。
【０２０４】
本願の実施形態における送受信機１３２０または送受信機１４２０は、送受信機ユニットまたはチップを用いて実装されてよいことを理解されたい。任意で、送受信機１３２０または送受信機１４２０は、送信機または受信機を含んでもよく、または送信ユニットまたは受信ユニットを含んでもよい。
【０２０５】
本願の実施形態におけるプロセッサ１３１０および送受信機１３２０はチップを用いて実装されてよく、またプロセッサ１４１０および送受信機１４２０はチップを用いて実装されてよいことを理解されたい。
【０２０６】
任意で、ネットワークデバイスまたは端末デバイスは、メモリをさらに含んでよく、メモリは、プログラムコードを記憶してよく、プロセッサは、メモリに記憶されたプログラムコードを呼び出して、ネットワークデバイスまたは端末デバイスの対応する機能を実装する。任意で、プロセッサおよびメモリは、チップを用いて実装されてよい。
【０２０７】
本願の一実施形態は、プロセッサおよびインタフェースを含む処理装置をさらに提供し、プロセッサは、本願の上述の実施形態における方法を行うよう構成される。
【０２０８】
処理装置は、チップであってよく、プロセッサは、ハードウェアまたはソフトウェアを用いて実装されてよい。ハードウェアを用いて実装される場合、プロセッサは、論理回路または集積回路等であってよい。ソフトウェアを用いて実装される場合、プロセッサは、汎用プロセッサであってよく、メモリに記憶されたソフトウェアコードを読み出すことにより実装される。メモリは、プロセッサに統合されてもよく、またはプロセッサとは独立に位置してもよい。
【０２０９】
例えば、処理装置は、フィールドプラグラマブルゲートアレイ（Ｆｉｅｌｄ−Ｐｒｏｇｒａｍｍａｂｌｅ  Ｇａｔｅ  Ａｒｒａｙ、ＦＰＧＡ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、システムオンチップ（Ｓｙｓｔｅｍ  ｏｎ  Ｃｈｉｐ、ＳｏＣ）、中央処理装置（Ｃｅｎｔｒａｌ  Ｐｒｏｃｅｓｓｉｎｇ  Ｕｎｉｔ、ＣＰＵ）、ネットワークプロセッサ（Ｎｅｔｗｏｒｋ  Ｐｒｏｃｅｓｓｏｒ、ＮＰ）、デジタルシグナルプロセッサ（Ｄｉｇｉｔａｌ  Ｓｉｇｎａｌ  Ｐｒｏｃｅｓｓｏｒ、ＤＳＰ）、マイクロコントロールユニット（Ｍｉｃｒｏ  Ｃｏｎｔｒｏｌ  Ｕｎｉｔ、ＭＣＵ）、プログラマブルロジックデバイス（Ｐｒｏｇｒａｍｍａｂｌｅ  Ｌｏｇｉｃ  Ｄｅｖｉｃｅ、ＰＬＤ）、または別の集積チップであってよい。
【０２１０】
本願の一実施形態は、上述のネットワークデバイスの実施形態におけるネットワークデバイスと、端末デバイスの実施形態における端末デバイスとを備える通信システムをさらに提供する。
【０２１１】
上述の実施形態の全てまたは一部は、ソフトウェア、ハードウェア、ファームウェア、またはそれらの任意の組み合わせを用いて実装されてよい。実施形態の実装にソフトウェアが用いられる場合、実施形態の全てまたは一部が、コンピュータプログラム製品の形態で実装されてよい。コンピュータプログラム製品は、１または複数のコンピュータ命令を含む。コンピュータプログラム命令がコンピュータ上でロードおよび実行されると、本願の実施形態に係る手順または機能の全てまたは一部が生成される。コンピュータは、汎用コンピュータ、専用コンピュータ、コンピュータネットワーク、または別のプログラマブル装置であってよい。コンピュータ命令は、コンピュータ可読記憶媒体に記憶されてもよく、または一のコンピュータ可読記憶媒体から別のコンピュータ可読記憶媒体へ伝送されてもよい。例えば、コンピュータ命令は、一のウェブサイト、コンピュータ、サーバ、またはデータセンタから別のウェブサイト、コンピュータ、サーバ、またはデータセンタへ、有線方式（例えば同軸ケーブル、光ファイバ、またはデジタル加入者線（ＤＳＬ））または無線方式（例えば赤外線、電波、またはマイクロ波）によって伝送されてよい。コンピュータ可読記憶媒体は、コンピュータからアクセス可能な任意の使用可能な媒体であってもよく、または、１または複数の使用可能な媒体を統合した、サーバまたはデータセンタなどのデータ記憶デバイスであってもよい。使用可能な媒体は、磁気媒体（例えばフロッピーディスク、ハードディスク、または磁気テープ）、光媒体（例えばＤＶＤ）、または半導体媒体（例えばソリッドステートディスク（Ｓｏｌｉｄ  Ｓｔａｔｅ  Ｄｉｓｋ、ＳＳＤ））等であってよい。
【０２１２】
本願の実施形態における「および／または」という用語は、関連付けられる複数の対象物を説明するための関連関係のみを説明するものであり、３つの関係が存在し得ることを表すことを理解されたい。例えば、Ａおよび／またはＢは、Ａのみが存在する、ＡおよびＢの両方が存在する、およびＢのみが存在するという３つの場合を表してよい。加えて、本明細書における「／」の文字は、一般に、関連付けられる対象物間における「または」の関係を示す。
【０２１３】
当業者には認識され得るように、本明細書に開示の実施形態において説明されている例と組み合わせて、ユニットおよびアルゴリズムの段階を、電子ハードウェア、またはコンピュータソフトウェアおよび電子ハードウェアの組み合わせを用いて実装することができる。機能がハードウェアまたはソフトウェアのいずれを用いて実行されるかは、技術的解決手段の特定のアプリケーションおよび設計制約条件に依存する。当業者は、特定のアプリケーションごとに異なる方法を用いて説明されている機能を実装し得るが、この実装が本願の範囲を越えるものと見なされるべきではない。
【０２１４】
当業者には明確に理解され得るように、説明を簡便および簡潔にする目的で、上述のシステム、装置、およびユニットの詳細な動作プロセスについては、上述の方法の実施形態における対応するプロセスが参照されてよく、ここでは詳細を改めて説明しない。
【０２１５】
本願において提供されるいくつかの実施形態において、開示のシステム、装置、および方法は、他の方式で実装されてもよいことを理解されたい。例えば、説明されている装置の実施形態は例に過ぎない。例えば、ユニットの分割は、論理機能の分割に過ぎず、実際の実装においては他の分割であってもよい。例えば、複数のユニットまたはコンポーネントが別のシステムに組み合わされまたは統合されてもよく、あるいはいくつかの特徴が無視されてもよい、または実行されなくてもよい。加えて、提示または議論されている相互結合または直接的結合または通信接続は、いくつかのインタフェースを用いて実装されてよい。装置間またはユニット間の間接的結合または通信接続は、電子的、機械的、または他の形態で実装されてよい。
【０２１６】
別個の部分として説明されているユニットは、物理的に別個であってもなくてもよく、ユニットとして提示されている部分は、物理的ユニットであってもなくてもよく、具体的には、一箇所に位置していてもよく、または複数のネットワークユニット上に分配されてもよい。それらユニットの一部または全てが、実施形態の解決手段の目的を実現するために実際の要件に基づいて選択されてよい。
【０２１７】
加えて、本願の実施形態における機能ユニットは、１つの処理ユニットに統合されてもよく、またはユニットの各々が物理的に単独で存在してもよく、または２つ以上のユニットが１つのユニットに統合されてもよい。
【０２１８】
機能がソフトウェア機能ユニットの形態で実装され、独立製品として販売または使用される場合、機能はコンピュータ可読記憶媒体に記憶されてよい。そのような理解に基づいて、本願の技術的解決手段は、本質的に、または先行技術に対する貢献をもたらす部分が、または技術的解決手段の一部が、ソフトウェア製品の形態で実装されてよい。コンピュータソフトウェア製品は、記憶媒体に記憶され、本願の実施形態において説明されている方法の段階の全てまたは一部を実行するよう、コンピュータデバイス（これはパーソナルコンピュータ、サーバ、またはネットワークデバイス等であってよい）に命令するためのいくつかの命令を含む。記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶し得る任意の媒体を含む。
【０２１９】
上述の説明は、本願の具体的な実装に過ぎず、本願の保護範囲を限定することを意図したものではない。本願に開示の技術的範囲内において当業者により容易に想到されるあらゆる変形または置換が、本願の保護範囲に含まれるものとする。したがって、本願の保護範囲は、特許請求の範囲の保護範囲に従うものとする。
【図１】
2020519191.tif 000016
【図２】
2020519191.tif 000017
【図３】
2020519191.tif 000018
【図４】
2020519191.tif 000019
【図５】
2020519191.tif 000020
【図６】
2020519191.tif 000021
【図７】
2020519191.tif 000022
【図８】
2020519191.tif 000023
【図９】
2020519191.tif 000024
【図１０】
2020519191.tif 000025
【図１１】
2020519191.tif 000026
【図１２】
2020519191.tif 000027
【図１３】
2020519191.tif 000028
【図１４】
2020519191.tif 000029
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
信号伝送方法であって、
参照信号を生成する段階と、
前記参照信号を送信する段階であって、前記参照信号は、特定の時間周波数リソースにおいて送信され、前記特定の時間周波数リソースは、同期信号ブロックに対応するシンボル上に位置する、段階と
を備える方法。
【請求項２】
前記特定の時間周波数リソースは、前記同期信号ブロックの物理ブロードキャストチャネル（ＰＢＣＨ）に対応する少なくとも１つのシンボルを含む、請求項１に記載の方法。
【請求項３】
前記特定の時間周波数リソースにおいて、前記参照信号にマッピングされる複数のリソースエレメント（ＲＥ）は、時間ドメインにおいて隣接せず、周波数ドメインにおいて隣接しない、または、
前記参照信号にマッピングされる複数のＲＥは、時間ドメインにおいて隣接し、周波数ドメインにおいて隣接しない、または、
前記参照信号にマッピングされる複数のＲＥは、周波数ドメインにおいて隣接し、時間ドメインにおいて隣接しない、
請求項１または２に記載の方法。
【請求項４】
前記参照信号は、前記同期信号ブロックの物理ブロードキャストチャネル（ＰＢＣＨ）に対応する少なくとも１つのシンボル上で送信されない、請求項１から３のいずれか一項に記載の方法。
【請求項５】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項１から４のいずれか一項に記載の方法。
【請求項６】
前記特定の時間周波数リソースは、前記同期信号ブロックの物理ブロードキャストチャネル（ＰＢＣＨ）に対応する少なくとも１つのシンボルを含み、前記同期信号ブロックのプライマリ同期信号および／またはセカンダリ同期信号に対応するシンボルを含み、
前記特定の時間周波数リソースの第３領域において、前記参照信号は、前記プライマリ同期信号および／または前記セカンダリ同期信号に対応する前記シンボル上で送信され、前記特定の時間周波数リソースの第４領域において、前記参照信号は、前記プライマリ同期信号および／または前記セカンダリ同期信号に対応する前記シンボル上で送信されず、前記プライマリ同期信号および／または前記セカンダリ同期信号は、前記第３領域に対応するサブキャリア上で送信されず、前記プライマリ同期信号および／または前記セカンダリ同期信号は、前記第４領域に対応するサブキャリア上で送信される、
請求項１から５のいずれか一項に記載の方法。
【請求項７】
前記特定の時間周波数リソースの周波数ドメイン範囲は、前記同期信号ブロックの物理ブロードキャストチャネル（ＰＢＣＨ）に対応するサブキャリアである、請求項１から６のいずれか一項に記載の方法。
【請求項８】
参照信号を生成する前記段階は、
時間周波数リソースユニットを単位として用いて前記参照信号を生成する段階を含み、前記時間周波数リソースユニットは、前記同期信号ブロックに対応する前記シンボル上に位置する、
請求項１から７のいずれか一項に記載の方法。
【請求項９】
前記時間周波数リソースユニットは、少なくとも１つの物理リソースブロック（ＰＲＢ）上における前記同期信号ブロックの物理ブロードキャストチャネル（ＰＢＣＨ）に対応する時間周波数リソースであり、または、前記時間周波数リソースユニットは、少なくとも１つのＰＲＢ上における前記同期信号ブロックのプライマリ同期信号および／またはセカンダリ同期信号に対応する時間周波数リソースであり、または、前記時間周波数リソースユニットは、少なくとも１つのＰＲＢにおける前記同期信号ブロックに対応する時間周波数リソースである、請求項８に記載の方法。
【請求項１０】
前記参照信号を生成するためのパラメータは、セルＩＤ、サブバンドシーケンス番号、ＰＲＢシーケンス番号、およびアンテナポート番号のうちの少なくとも１つに関連付けられる、請求項８または９に記載の方法。
【請求項１１】
前記参照信号を送信する前記段階は、
前記時間周波数リソースユニットを単位として用いて前記参照信号をマッピングする段階を含む、
請求項８から１０のいずれか一項に記載の方法。
【請求項１２】
前記参照信号をマッピングする方式は、セルＩＤ、サブバンドシーケンス番号、ＰＲＢシーケンス番号、およびアンテナポート番号のうちの少なくとも１つに関連付けられる、請求項１１に記載の方法。
【請求項１３】
信号伝送方法であって、
参照信号を受信する段階であって、前記参照信号は、特定の時間周波数リソースにおいて送信され、前記特定の時間周波数リソースは、同期信号ブロックに対応するシンボル上に位置する、段階と、
前記参照信号に基づいてチャネル推定を行う段階と
を備える方法。
【請求項１４】
前記特定の時間周波数リソースは、前記同期信号ブロックの物理ブロードキャストチャネル（ＰＢＣＨ）に対応する少なくとも１つのシンボルを含む、請求項１３に記載の方法。
【請求項１５】
前記特定の時間周波数リソースにおいて、前記参照信号にマッピングされる複数のリソースエレメント（ＲＥ）は、時間ドメインにおいて隣接せず、周波数ドメインにおいて隣接しない、または、
前記参照信号にマッピングされる複数のＲＥは、時間ドメインにおいて隣接し、周波数ドメインにおいて隣接しない、または、
前記参照信号にマッピングされる複数のＲＥは、周波数ドメインにおいて隣接し、時間ドメインにおいて隣接しない、
請求項１３または１４に記載の方法。
【請求項１６】
前記参照信号は、前記同期信号ブロックの物理ブロードキャストチャネル（ＰＢＣＨ）に対応する少なくとも１つのシンボル上で送信されない、請求項１３から１５のいずれか一項に記載の方法。
【請求項１７】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項１３から１６のいずれか一項に記載の方法。
【請求項１８】
前記特定の時間周波数リソースは、前記同期信号ブロックの物理ブロードキャストチャネル（ＰＢＣＨ）に対応する少なくとも１つのシンボルを含み、前記同期信号ブロックのプライマリ同期信号および／またはセカンダリ同期信号に対応するシンボルを含み、
前記特定の時間周波数リソースの第３領域において、前記参照信号は、前記プライマリ同期信号および／または前記セカンダリ同期信号に対応する前記シンボル上で送信され、前記特定の時間周波数リソースの第４領域において、前記参照信号は、前記プライマリ同期信号および／または前記セカンダリ同期信号に対応する前記シンボル上で送信されず、前記プライマリ同期信号および／または前記セカンダリ同期信号は、前記第３領域に対応するサブキャリア上で送信されず、前記プライマリ同期信号および／または前記セカンダリ同期信号は、前記第４領域に対応するサブキャリア上で送信される、
請求項１３から１７のいずれか一項に記載の方法。
【請求項１９】
前記特定の時間周波数リソースの周波数ドメイン範囲は、前記同期信号ブロックの物理ブロードキャストチャネル（ＰＢＣＨ）に対応するサブキャリアである、請求項１３から１８のいずれか一項に記載の方法。
【請求項２０】
信号伝送装置であって、
プロセッサおよび送受信機を備え、
前記プロセッサは、参照信号を生成するよう構成され、
前記送受信機は、前記参照信号を送信するよう構成され、前記参照信号は、特定の時間周波数リソースにおいて送信され、前記特定の時間周波数リソースは、同期信号ブロックに対応するシンボル上に位置する、
装置。
【請求項２１】
前記特定の時間周波数リソースは、前記同期信号ブロックの物理ブロードキャストチャネル（ＰＢＣＨ）に対応する少なくとも１つのシンボルを含む、請求項２０に記載の装置。
【請求項２２】
前記特定の時間周波数リソースにおいて、前記参照信号にマッピングされる複数のリソースエレメント（ＲＥ）は、時間ドメインにおいて隣接せず、周波数ドメインにおいて隣接しない、または、
前記参照信号にマッピングされる複数のＲＥは、時間ドメインにおいて隣接し、周波数ドメインにおいて隣接しない、または、
前記参照信号にマッピングされる複数のＲＥは、周波数ドメインにおいて隣接し、時間ドメインにおいて隣接しない、
請求項２０または２１に記載の装置。
【請求項２３】
前記参照信号は、前記同期信号ブロックの物理ブロードキャストチャネル（ＰＢＣＨ）に対応する少なくとも１つのシンボル上で送信されない、請求項２０から２２のいずれか一項に記載の装置。
【請求項２４】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項２０から２３のいずれか一項に記載の装置。
【請求項２５】
前記特定の時間周波数リソースは、前記同期信号ブロックの物理ブロードキャストチャネル（ＰＢＣＨ）に対応する少なくとも１つのシンボルを含み、前記同期信号ブロックのプライマリ同期信号および／またはセカンダリ同期信号に対応するシンボルを含み、
前記特定の時間周波数リソースの第３領域において、前記参照信号は、前記プライマリ同期信号および／または前記セカンダリ同期信号に対応する前記シンボル上で送信され、前記特定の時間周波数リソースの第４領域において、前記参照信号は、前記プライマリ同期信号および／または前記セカンダリ同期信号に対応する前記シンボル上で送信されず、前記プライマリ同期信号および／または前記セカンダリ同期信号は、前記第３領域に対応するサブキャリア上で送信されず、前記プライマリ同期信号および／または前記セカンダリ同期信号は、前記第４領域に対応するサブキャリア上で送信される、
請求項２０から２４のいずれか一項に記載の装置。
【請求項２６】
前記特定の時間周波数リソースの周波数ドメイン範囲は、前記同期信号ブロックの物理ブロードキャストチャネル（ＰＢＣＨ）に対応するサブキャリアである、請求項２０から２５のいずれか一項に記載の装置。
【請求項２７】
信号伝送装置であって、
プロセッサおよび送受信機を備え、
前記送受信機は、参照信号を受信するよう構成され、前記参照信号は、特定の時間周波数リソースにおいて送信され、前記特定の時間周波数リソースは、同期信号ブロックに対応するシンボル上に位置し、
前記プロセッサは、前記参照信号に基づいてチャネル推定を行うよう構成される、
装置。
【請求項２８】
前記特定の時間周波数リソースは、前記同期信号ブロックの物理ブロードキャストチャネル（ＰＢＣＨ）に対応する少なくとも１つのシンボルを含む、請求項２７に記載の装置。
【請求項２９】
前記特定の時間周波数リソースにおいて、前記参照信号にマッピングされる複数のリソースエレメントＲＥは、時間ドメインにおいて隣接せず、周波数ドメインにおいて隣接しない、または、
前記参照信号にマッピングされる複数のＲＥは、時間ドメインにおいて隣接し、周波数ドメインにおいて隣接しない、または、
前記参照信号にマッピングされる複数のＲＥは、周波数ドメインにおいて隣接し、時間ドメインにおいて隣接しない、
請求項２７または２８に記載の装置。
【請求項３０】
前記参照信号は、前記同期信号ブロックの物理ブロードキャストチャネル（ＰＢＣＨ）に対応する少なくとも１つのシンボル上で送信されない、請求項２７から２９のいずれか一項に記載の装置。
【請求項３１】
前記特定の時間周波数リソースの第１領域において前記参照信号にマッピングされるＲＥの数は、前記特定の時間周波数リソースの第２領域において前記参照信号にマッピングされるＲＥの数よりも多く、前記同期信号ブロックのプライマリ同期信号および／またはセカンダリ同期信号は、前記第１領域に対応するサブキャリア上で送信されず、前記プライマリ同期信号および／または前記セカンダリ同期信号は、前記第２領域に対応するサブキャリア上で送信される、請求項２７から３０のいずれか一項に記載の装置。
【請求項３２】
前記特定の時間周波数リソースは、前記同期信号ブロックの物理ブロードキャストチャネル（ＰＢＣＨ）に対応する少なくとも１つのシンボルを含み、前記同期信号ブロックのプライマリ同期信号および／またはセカンダリ同期信号に対応するシンボルを含み、
前記特定の時間周波数リソースの第３領域において、前記参照信号は、前記プライマリ同期信号および／または前記セカンダリ同期信号に対応する前記シンボル上で送信され、前記特定の時間周波数リソースの第４領域において、前記参照信号は、前記プライマリ同期信号および／または前記セカンダリ同期信号に対応する前記シンボル上で送信されず、前記プライマリ同期信号および／または前記セカンダリ同期信号は、前記第３領域に対応するサブキャリア上で送信されず、前記プライマリ同期信号および／または前記セカンダリ同期信号は、前記第４領域に対応するサブキャリア上で送信される、
請求項２７から３１のいずれか一項に記載の装置。
【請求項３３】
前記特定の時間周波数リソースの周波数ドメイン範囲は、前記同期信号ブロックの物理ブロードキャストチャネル（ＰＢＣＨ）に対応するサブキャリアである、請求項２７から３２のいずれか一項に記載の装置。
【請求項３４】
信号を伝送するための装置であって、プロセッサ、メモリ、および送受信機を備え、前記メモリは命令を記憶し、前記命令が前記プロセッサにより実行されると、前記プロセッサおよび前記送受信機は、請求項１から１９のいずれか一項に記載の方法を行うことが可能となる、装置。
【請求項３５】
信号を伝送するための装置であって、プロセッサおよび送受信機を備え、前記プロセッサおよび前記送受信機は、請求項１から１９のいずれか一項に記載の方法を行うよう構成される、装置。
【請求項３６】
前記装置はチップである、請求項３４または３５に記載の装置。
【請求項３７】
プログラムコードを記憶するコンピュータ記憶媒体であって、前記プログラムコードがコンピュータ上で実行されると、前記コンピュータは、請求項１から１９のいずれか一項に記載の方法を行うことが可能となる、コンピュータ記憶媒体。
【請求項３８】
コンピュータに、請求項１から１９のいずれか一項に記載の方法を行わせるコンピュータプログラム。
【手続補正２】
【補正対象書類名】明細書
【補正対象項目名】００８１
【補正方法】変更
【補正の内容】
【００８１】
本明細書は、ネットワークデバイスに関連して実施形態を説明する。ネットワークデバイスは、端末デバイスと通信するよう構成されるデバイスであってよい。ネットワークデバイスは、汎欧州デジタル移動電話方式（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））または符号分割多元接続（Ｃｏｄｅ  Ｄｉｖｉｓｉｏｎ  Ｍｕｌｔｉｐｌｅ  Ａｃｃｅｓｓ、ＣＤＭＡ）における無線基地局（Ｂａｓｅ  Ｔｒａｎｓｃｅｉｖｅｒ  Ｓｔａｔｉｏｎ、ＢＴＳ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システムにおけるノードＢ（ＮｏｄｅＢ、ＮＢ）、ロングタームエボリューション（Ｌｏｎｇ  Ｔｅｒｍ  Ｅｖｏｌｕｔｉｏｎ、ＬＴＥ）システムにおける進化型ノードＢ（Ｅｖｏｌｖｅｄ  ＮｏｄｅＢ、ｅＮＢまたはｅＮｏｄｅＢ）、またはクラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラであってよい。あるいは、ネットワークデバイスは、リレーノード、アクセスポイント、車載デバイス、ウェアラブルデバイス、将来の５Ｇネットワークにおけるネットワークデバイス、または将来の発展型ＰＬＭＮにおけるネットワークデバイス等であってよい。
【手続補正３】
【補正対象書類名】明細書
【補正対象項目名】００８９
【補正方法】変更
【補正の内容】
【００８９】
図２に示すように、各ＳＳＢは、１つの直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル上のプライマリ同期信号（Ｐｒｉｍａｒｙ  Ｓｙｎｃｈｒｏｎｉｚａｔｉｏｎ  Ｓｉｇｎａｌ、ＰＳＳ）と、１つのシンボル上のセカンダリ同期信号（Ｓｅｃｏｎｄａｒｙ  Ｓｙｎｃｈｒｏｎｉｚａｔｉｏｎ  Ｓｉｇｎａｌ、ＳＳＳ）と、２つのシンボル上のＰＢＣＨとを含んでよい。ＮＲ−ＰＳＳ／ＳＳＳのシーケンス長は１２７である。ＮＲ−ＰＳＳ／ＳＳＳは、周波数ドメインにおいて１２７個のサブキャリア（Ｓｕｂｃａｒｒｉｅｒ、ＳＣ）を占有し、ＮＲ−ＰＢＣＨは、周波数ドメインにおいて２８８個のサブキャリアを占有する。
【手続補正４】
【補正対象書類名】明細書
【補正対象項目名】０１２２
【補正方法】変更
【補正の内容】
【０１２２】
具体的に、同期信号の帯域幅はＰＢＣＨの帯域幅と一致しないので、特定の時間周波数リソースには２つの領域が存在する。同期信号ブロックのプライマリ同期信号および／またはセカンダリ同期信号は、第１領域に対応するサブキャリア上で送信されず、プライマリ同期信号および／またはセカンダリ同期信号は、第２領域に対応するサブキャリア上で送信される。この２種類の領域について、異なる数のＲＥが参照信号へのマッピングに用いられてよい。具体的には、第１領域において参照信号にマッピングされるＲＥの数は、第２領域において参照信号にマッピングされるＲＥの数よりも多くてよい。
【手続補正５】
【補正対象書類名】明細書
【補正対象項目名】０１７３
【補正方法】変更
【補正の内容】
【０１７３】
任意で、送受信機１３２０は、時間周波数リソースユニットを単位として用いて参照信号をマッピングするよう構成される、または、プロセッサ１３１０は、時間周波数リソースユニットを単位として用いて参照信号をマッピングするよう構成される。
【手続補正６】
【補正対象書類名】明細書
【補正対象項目名】０１７８
【補正方法】変更
【補正の内容】
【０１７８】
任意で、送受信機１３２０は、時間周波数リソースユニットを単位として用いて参照信号をマッピングするよう構成される。
【手続補正７】
【補正対象書類名】明細書
【補正対象項目名】０２１９
【補正方法】変更
【補正の内容】
【０２１９】
上述の説明は、本願の具体的な実装に過ぎず、本願の保護範囲を限定することを意図したものではない。本願に開示の技術的範囲内において当業者により容易に想到されるあらゆる変形または置換が、本願の保護範囲に含まれるものとする。したがって、本願の保護範囲は、特許請求の範囲の保護範囲に従うものとする。
［項目１］
信号伝送方法であって、
参照信号を生成する段階と、
上記参照信号を送信する段階であって、上記参照信号は、特定の時間周波数リソースにおいて送信され、上記特定の時間周波数リソースは、同期信号ブロックに対応するシンボル上に位置する、段階と
を備える方法。
［項目２］
上記特定の時間周波数リソースは、上記同期信号ブロックの物理ブロードキャストチャネルＰＢＣＨに対応する少なくとも１つのシンボルを含む、項目１に記載の方法。
［項目３］
上記特定の時間周波数リソースにおいて、上記参照信号にマッピングされる複数のリソースエレメントＲＥは、時間ドメインにおいて隣接せず、周波数ドメインにおいて隣接しない、または、
上記参照信号にマッピングされる複数のＲＥは、時間ドメインにおいて隣接し、周波数ドメインにおいて隣接しない、または、
上記参照信号にマッピングされる複数のＲＥは、周波数ドメインにおいて隣接し、時間ドメインにおいて隣接しない、
項目１または２に記載の方法。
［項目４］
上記参照信号は、上記同期信号ブロックの上記ＰＢＣＨに対応する上記少なくとも１つのシンボル上で送信されない、項目１から３のいずれか一項に記載の方法。
［項目５］
上記特定の時間周波数リソースの第１領域において上記参照信号にマッピングされるＲＥの数は、上記特定の時間周波数リソースの第２領域において上記参照信号にマッピングされるＲＥの数よりも多く、上記同期信号ブロックのプライマリ同期信号および／またはセカンダリ同期信号は、上記第１領域に対応するサブキャリア上で送信されず、上記プライマリ同期信号および／または上記セカンダリ同期信号は、上記第２領域に対応するサブキャリア上で送信される、項目１から４のいずれか一項に記載の方法。
［項目６］
上記特定の時間周波数リソースは、上記同期信号ブロックの上記ＰＢＣＨに対応する上記少なくとも１つのシンボルを含み、上記同期信号ブロックの上記プライマリ同期信号および／または上記セカンダリ同期信号に対応するシンボルを含み、
上記特定の時間周波数リソースの第３領域において、上記参照信号は、上記プライマリ同期信号および／または上記セカンダリ同期信号に対応する上記シンボル上で送信され、上記特定の時間周波数リソースの第４領域において、上記参照信号は、上記プライマリ同期信号および／または上記セカンダリ同期信号に対応する上記シンボル上で送信されず、上記プライマリ同期信号および／または上記セカンダリ同期信号は、上記第３領域に対応するサブキャリア上で送信されず、上記プライマリ同期信号および／または上記セカンダリ同期信号は、上記第４領域に対応するサブキャリア上で送信される、
項目１から５のいずれか一項に記載の方法。
［項目７］
上記特定の時間周波数リソースの周波数ドメイン範囲は、上記同期信号ブロックの上記ＰＢＣＨに対応するサブキャリアである、項目１から６のいずれか一項に記載の方法。
［項目８］
参照信号を生成する上記段階は、
時間周波数リソースユニットを単位として用いて上記参照信号を生成する段階を含み、上記時間周波数リソースユニットは、上記同期信号ブロックに対応する上記シンボル上に位置する、
項目１から７のいずれか一項に記載の方法。
［項目９］
上記時間周波数リソースユニットは、少なくとも１つの物理リソースブロックＰＲＢ上における上記同期信号ブロックの上記ＰＢＣＨに対応する時間周波数リソースであり、または、上記時間周波数リソースユニットは、少なくとも１つのＰＲＢ上における上記同期信号ブロックの上記プライマリ同期信号および／または上記セカンダリ同期信号に対応する時間周波数リソースであり、または、上記時間周波数リソースユニットは、少なくとも１つのＰＲＢにおける上記同期信号ブロックに対応する時間周波数リソースである、項目８に記載の方法。
［項目１０］
上記参照信号を生成するためのパラメータは、セルＩＤ、サブバンドシーケンス番号、ＰＲＢシーケンス番号、およびアンテナポート番号のうちの少なくとも１つに関連付けられる、項目８または９に記載の方法。
［項目１１］
上記参照信号を送信する上記段階は、
上記時間周波数リソースユニットを単位として用いて上記参照信号をマッピングする段階を含む、
項目８から１０のいずれか一項に記載の方法。
［項目１２］
上記参照信号をマッピングする方式は、上記セルＩＤ、上記サブバンドシーケンス番号、上記ＰＲＢシーケンス番号、および上記アンテナポート番号のうちの少なくとも１つに関連付けられる、項目１１に記載の方法。
［項目１３］
信号伝送方法であって、
時間周波数リソースユニットを単位として用いて参照信号を生成する段階であって、上記時間周波数リソースユニットは、同期信号ブロックに対応するシンボル上に位置する、段階と、
上記参照信号を送信する段階と
を備える方法。
［項目１４］
上記時間周波数リソースユニットは、少なくとも１つの物理リソースブロックＰＲＢ上における上記同期信号ブロックの物理ブロードキャストチャネルＰＢＣＨに対応する時間周波数リソースであり、または、上記時間周波数リソースユニットは、少なくとも１つのＰＲＢ上における上記同期信号ブロックのプライマリ同期信号および／またはセカンダリ同期信号に対応する時間周波数リソースであり、または、上記時間周波数リソースユニットは、少なくとも１つのＰＲＢにおける上記同期信号ブロックに対応する時間周波数リソースである、項目１３に記載の方法。
［項目１５］
上記参照信号を生成するためのパラメータは、セルＩＤ、サブバンドシーケンス番号、ＰＲＢシーケンス番号、およびアンテナポート番号のうちの少なくとも１つに関連付けられる、項目１３または１４に記載の方法。
［項目１６］
上記参照信号を送信する上記段階は、
上記時間周波数リソースユニットを単位として用いて上記参照信号をマッピングする段階を含む、
項目１３から１５のいずれか一項に記載の方法。
［項目１７］
上記参照信号をマッピングする方式は、上記セルＩＤ、上記サブバンドシーケンス番号、上記ＰＲＢシーケンス番号、および上記アンテナポート番号のうちの少なくとも１つに関連付けられる、項目１６に記載の方法。
［項目１８］
信号伝送方法であって、
参照信号を受信する段階であって、上記参照信号は、特定の時間周波数リソースにおいて送信され、上記特定の時間周波数リソースは、同期信号ブロックに対応するシンボル上に位置する、段階と、
上記参照信号に基づいてチャネル推定を行う段階と
を備える方法。
［項目１９］
上記特定の時間周波数リソースは、上記同期信号ブロックの物理ブロードキャストチャネルＰＢＣＨに対応する少なくとも１つのシンボルを含む、項目１８に記載の方法。
［項目２０］
上記特定の時間周波数リソースにおいて、上記参照信号にマッピングされる複数のリソースエレメントＲＥは、時間ドメインにおいて隣接せず、周波数ドメインにおいて隣接しない、または、
上記参照信号にマッピングされる複数のＲＥは、時間ドメインにおいて隣接し、周波数ドメインにおいて隣接しない、または、
上記参照信号にマッピングされる複数のＲＥは、周波数ドメインにおいて隣接し、時間ドメインにおいて隣接しない、
項目１８または１９に記載の方法。
［項目２１］
上記参照信号は、上記同期信号ブロックの上記ＰＢＣＨに対応する上記少なくとも１つのシンボル上で送信されない、項目１８から２０のいずれか一項に記載の方法。
［項目２２］
上記特定の時間周波数リソースの第１領域において上記参照信号にマッピングされるＲＥの数は、上記特定の時間周波数リソースの第２領域において上記参照信号にマッピングされるＲＥの数よりも多く、上記同期信号ブロックのプライマリ同期信号および／またはセカンダリ同期信号は、上記第１領域に対応するサブキャリア上で送信されず、上記プライマリ同期信号および／または上記セカンダリ同期信号は、上記第２領域に対応するサブキャリア上で送信される、項目１８から２１のいずれか一項に記載の方法。
［項目２３］
上記特定の時間周波数リソースは、上記同期信号ブロックの上記ＰＢＣＨに対応する上記少なくとも１つのシンボルを含み、上記同期信号ブロックの上記プライマリ同期信号および／または上記セカンダリ同期信号に対応するシンボルを含み、
上記特定の時間周波数リソースの第３領域において、上記参照信号は、上記プライマリ同期信号および／または上記セカンダリ同期信号に対応する上記シンボル上で送信され、上記特定の時間周波数リソースの第４領域において、上記参照信号は、上記プライマリ同期信号および／または上記セカンダリ同期信号に対応する上記シンボル上で送信されず、上記プライマリ同期信号および／または上記セカンダリ同期信号は、上記第３領域に対応するサブキャリア上で送信されず、上記プライマリ同期信号および／または上記セカンダリ同期信号は、上記第４領域に対応するサブキャリア上で送信される、
項目１８から２２のいずれか一項に記載の方法。
［項目２４］
上記特定の時間周波数リソースの周波数ドメイン範囲は、上記同期信号ブロックの上記ＰＢＣＨに対応するサブキャリアである、項目１８から２３のいずれか一項に記載の方法。
［項目２５］
信号伝送方法であって、
参照信号を受信する段階であって、上記参照信号は、時間周波数リソースユニットを単位として用いて生成され、上記時間周波数リソースユニットは、同期信号ブロックに対応するシンボル上に位置する、段階と、
上記参照信号に基づいてチャネル推定を行う段階と
を備える方法。
［項目２６］
上記時間周波数リソースユニットは、少なくとも１つの物理リソースブロックＰＲＢ上における上記同期信号ブロックの物理ブロードキャストチャネルＰＢＣＨに対応する時間周波数リソースであり、または、上記時間周波数リソースユニットは、少なくとも１つのＰＲＢ上における上記同期信号ブロックのプライマリ同期信号および／またはセカンダリ同期信号に対応する時間周波数リソースであり、または、上記時間周波数リソースユニットは、少なくとも１つのＰＲＢにおける上記同期信号ブロックに対応する時間周波数リソースである、項目２５に記載の方法。
［項目２７］
信号伝送装置であって、
プロセッサおよび送受信機を備え、
上記プロセッサは、参照信号を生成するよう構成され、
上記送受信機は、上記参照信号を送信するよう構成され、上記参照信号は、特定の時間周波数リソースにおいて送信され、上記特定の時間周波数リソースは、同期信号ブロックに対応するシンボル上に位置する、
装置。
［項目２８］
上記特定の時間周波数リソースは、上記同期信号ブロックの物理ブロードキャストチャネルＰＢＣＨに対応する少なくとも１つのシンボルを含む、項目２７に記載の装置。
［項目２９］
上記特定の時間周波数リソースにおいて、上記参照信号にマッピングされる複数のリソースエレメントＲＥは、時間ドメインにおいて隣接せず、周波数ドメインにおいて隣接しない、または、
上記参照信号にマッピングされる複数のＲＥは、時間ドメインにおいて隣接し、周波数ドメインにおいて隣接しない、または、
上記参照信号にマッピングされる複数のＲＥは、周波数ドメインにおいて隣接し、時間ドメインにおいて隣接しない、
項目２７または２８に記載の装置。
［項目３０］
上記参照信号は、上記同期信号ブロックの上記ＰＢＣＨに対応する上記少なくとも１つのシンボル上で送信されない、項目２７から２９のいずれか一項に記載の装置。
［項目３１］
上記特定の時間周波数リソースの第１領域において上記参照信号にマッピングされるＲＥの数は、上記特定の時間周波数リソースの第２領域において上記参照信号にマッピングされるＲＥの数よりも多く、上記同期信号ブロックのプライマリ同期信号および／またはセカンダリ同期信号は、上記第１領域に対応するサブキャリア上で送信されず、上記プライマリ同期信号および／または上記セカンダリ同期信号は、上記第２領域に対応するサブキャリア上で送信される、項目２７から３０のいずれか一項に記載の装置。
［項目３２］
上記特定の時間周波数リソースは、上記同期信号ブロックの上記ＰＢＣＨに対応する上記少なくとも１つのシンボルを含み、上記同期信号ブロックの上記プライマリ同期信号および／または上記セカンダリ同期信号に対応するシンボルを含み、
上記特定の時間周波数リソースの第３領域において、上記参照信号は、上記プライマリ同期信号および／または上記セカンダリ同期信号に対応する上記シンボル上で送信され、上記特定の時間周波数リソースの第４領域において、上記参照信号は、上記プライマリ同期信号および／または上記セカンダリ同期信号に対応する上記シンボル上で送信されず、上記プライマリ同期信号および／または上記セカンダリ同期信号は、上記第３領域に対応するサブキャリア上で送信されず、上記プライマリ同期信号および／または上記セカンダリ同期信号は、上記第４領域に対応するサブキャリア上で送信される、
項目２７から３１のいずれか一項に記載の装置。
［項目３３］
上記特定の時間周波数リソースの周波数ドメイン範囲は、上記同期信号ブロックの上記ＰＢＣＨに対応するサブキャリアである、項目２７から３２のいずれか一項に記載の装置。
［項目３４］
信号伝送装置であって、
プロセッサおよび送受信機を備え、
上記送受信機は、参照信号を受信するよう構成され、上記参照信号は、特定の時間周波数リソースにおいて送信され、上記特定の時間周波数リソースは、同期信号ブロックに対応するシンボル上に位置し、
上記プロセッサは、上記参照信号に基づいてチャネル推定を行うよう構成される、
装置。
［項目３５］
上記特定の時間周波数リソースは、上記同期信号ブロックの物理ブロードキャストチャネルＰＢＣＨに対応する少なくとも１つのシンボルを含む、項目３４に記載の装置。
［項目３６］
上記特定の時間周波数リソースにおいて、上記参照信号にマッピングされる複数のリソースエレメントＲＥは、時間ドメインにおいて隣接せず、周波数ドメインにおいて隣接しない、または、
上記参照信号にマッピングされる複数のＲＥは、時間ドメインにおいて隣接し、周波数ドメインにおいて隣接しない、または、
上記参照信号にマッピングされる複数のＲＥは、周波数ドメインにおいて隣接し、時間ドメインにおいて隣接しない、
項目３４または３５に記載の装置。
［項目３７］
上記参照信号は、上記同期信号ブロックの上記ＰＢＣＨに対応する上記少なくとも１つのシンボル上で送信されない、項目３４から３６のいずれか一項に記載の装置。
［項目３８］
上記特定の時間周波数リソースの第１領域において上記参照信号にマッピングされるＲＥの数は、上記特定の時間周波数リソースの第２領域において上記参照信号にマッピングされるＲＥの数よりも多く、上記同期信号ブロックのプライマリ同期信号および／またはセカンダリ同期信号は、上記第１領域に対応するサブキャリア上で送信されず、上記プライマリ同期信号および／または上記セカンダリ同期信号は、上記第２領域に対応するサブキャリア上で送信される、項目３４から３７のいずれか一項に記載の装置。
［項目３９］
上記特定の時間周波数リソースは、上記同期信号ブロックの上記ＰＢＣＨに対応する上記少なくとも１つのシンボルを含み、上記同期信号ブロックの上記プライマリ同期信号および／または上記セカンダリ同期信号に対応するシンボルを含み、
上記特定の時間周波数リソースの第３領域において、上記参照信号は、上記プライマリ同期信号および／または上記セカンダリ同期信号に対応する上記シンボル上で送信され、上記特定の時間周波数リソースの第４領域において、上記参照信号は、上記プライマリ同期信号および／または上記セカンダリ同期信号に対応する上記シンボル上で送信されず、上記プライマリ同期信号および／または上記セカンダリ同期信号は、上記第３領域に対応するサブキャリア上で送信されず、上記プライマリ同期信号および／または上記セカンダリ同期信号は、上記第４領域に対応するサブキャリア上で送信される、
項目３４から３８のいずれか一項に記載の装置。
［項目４０］
上記特定の時間周波数リソースの周波数ドメイン範囲は、上記同期信号ブロックの上記ＰＢＣＨに対応するサブキャリアである、項目３４から３９のいずれか一項に記載の装置。
［項目４１］
プログラムコードを記憶するコンピュータ記憶媒体であって、上記プログラムコードは、項目１から２６のいずれか一項に記載の方法を行うよう命令するために用いられる、コンピュータ記憶媒体。
［項目４２］
命令を含むコンピュータプログラム製品であって、上記命令がコンピュータ上で実行されるとき、上記コンピュータが項目１から２６のいずれか一項に記載の方法を行う、コンピュータプログラム製品。
［項目４３］
項目１から２６のいずれか一項に記載の方法を行うよう構成される信号伝送装置。
［項目４４］
項目２７から３３のいずれか一項に記載の装置と、項目３４から４０のいずれか一項に記載の装置とを備える通信システム。
【国際調査報告】
2020519191.tif 000030
2020519191.tif 000031
2020519191.tif 000032
2020519191.tif 000033